(57)【特許請求の範囲】
【請求項１】
再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置であって、
前記コンテンツの再生可能回数を管理する再生回数管理部と、
前記複数の出力制御部のうちいずれかの出力制御部に対する前記コンテンツの再生指示がなされた場合に、前記再生回数管理部により管理される前記コンテンツの再生可能回数に基づき、前記再生指示された出力制御部での前記個別再生が可能か否か、および前記再生指示された出力制御部での前記同期再生が可能か否かを判断する再生可否判断部と、
前記再生可否判断部の判断結果に基づき、前記再生指示された出力制御部での前記個別再生または前記同期再生を行う再生制御部とを備え、
前記再生回数管理部は、前記個別再生が行われる場合に前記コンテンツの再生可能回数を１つ減算し、前記同期再生が行われる場合には前記コンテンツの再生可能回数の減算を行わないことを特徴とする再生装置。
【請求項２】
前記再生可否判断部は、前記個別再生が可能か否かを判断する際、前記コンテンツの再生可能回数が１以上である場合に前記個別再生が可能であると判断し、前記コンテンツの再生可能回数が０である場合に前記個別再生は可能でないと判断することを特徴とする請求項１に記載の再生装置。
【請求項３】
前記再生可否判断部は、前記個別再生が可能か否かを判断する際、前記複数のデコード処理部の使用状況に基づき、前記個別再生に使用可能なデコード処理部があるか否かを判断し、前記使用可能なデコード処理部があると判断され、かつ前記コンテンツの再生可能回数が１以上である場合に、前記個別再生が可能であると判断し、前記使用可能なデコード処理部がないと判断されたか、または前記コンテンツの再生可能回数が０である場合に、前記個別再生は可能でないと判断することを特徴とする請求項１または２に記載の再生装置。
【請求項４】
前記再生可否判断部は、前記同期再生が可能か否かを判断する際、前記コンテンツの再生可能回数によらず、前記再生指示された出力制御部以外の他の出力制御部で前記コンテンツが再生されている場合に前記同期再生が可能であると判断し、再生されていない場合には前記同期再生は可能でないと判断することを特徴とする請求項１から３のいずれか１項に記載の再生装置。
【請求項５】
前記複数の出力制御部のうち少なくとも２つの出力制御部で前記同期再生が行われている際に、前記少なくとも２つの出力制御部のうちいずれかの出力制御部に対する再生停止指示を受けた場合、前記再生停止指示された出力制御部での前記コンテンツの再生を停止し、前記少なくとも２つの出力制御部のうち前記再生停止指示された出力制御部以外の他の出力制御部での前記コンテンツの再生を継続することを特徴とする請求項１から４のいずれか１項に記載の再生装置。
【請求項６】
前記再生可否判断部により前記個別再生が可能であると判断された場合、前記個別再生を行うと前記コンテンツの再生可能回数が減算される旨を提示し、前記個別再生を行うか否かの選択をユーザから受け付け、前記個別再生を行うことが選択されたときに前記個別再生を実行することを特徴とする請求項１から５のいずれか１項に記載の再生装置。
【請求項７】
前記再生可否判断部により、前記個別再生が可能であり、かつ前記同期再生が可能であると判断された場合、前記個別再生を行うと前記コンテンツの再生可能回数が減算され、前記同期再生を行うと前記コンテンツの再生可能回数が減算されない旨を提示し、前記２つの再生のうちいずれを行うかの選択をユーザから受け付け、前記ユーザにより選択された再生を行うことを特徴とする請求項１から６のいずれか１項に記載の再生装置。
【請求項８】
前記複数の出力制御部のうち少なくとも２つの出力制御部での前記同期再生が行われている際に、前記少なくとも２つの出力制御部のうちいずれかの出力制御部に対する特殊再生指示を受けた場合、前記コンテンツを前記同期再生に使用されているデコード処理部と異なるデコード処理部を用いてデコードして前記特殊再生指示を受けた前記出力制御部で特殊再生し、前記少なくとも２つの出力制御部のうち前記特殊再生指示を受けていない他の出力制御部での前記コンテンツの再生を継続することを特徴とする請求項１から７のいずれか１項に記載の再生装置。
【請求項９】
前記コンテンツを特殊再生すると、前記コンテンツの再生可能回数が減算され、前記同期再生を継続すると、前記コンテンツの再生可能回数が減算されない旨を提示し、前記２つの再生のうちいずれを行うかの選択をユーザから受け付け、前記特殊再生が選択されたときに前記特殊再生を行い、前記同期再生が選択されたときには前記少なくとも２つの出力制御部での前記同期再生を継続することを特徴とする請求項８に記載の再生装置。
【請求項１０】
前記複数の出力制御部のいずれかの出力制御部にコンテンツのリストを出力させる際、前記リストに含まれる１以上のコンテンツの各々について、前記複数のデコード処理部の使用状況に基づき、当該コンテンツを前記再生対象のコンテンツとした場合に、前記個別再生が可能か否か、および前記同期再生が可能か否かを判断し、これらの判断結果を当該出力制御部に出力させ、
さらに前記リストに含まれる前記１以上のコンテンツのうち再生回数が制限されるコンテンツの各々について、当該コンテンツの再生可能回数による当該コンテンツの再生可否を示す情報を当該出力制御部に出力させることを特徴とする請求項１から９のいずれか１項に記載の再生装置。
【請求項１１】
複数のコンテンツから前記再生対象のコンテンツを選択して前記複数のデコード処理部のいずれかに出力する１以上の入力ソース選択部を備え、
前記再生可否判断部は、前記複数の出力制御部のうちいずれかの出力制御部に対する前記複数のコンテンツのうちいずれかのコンテンツの再生指示がなされた場合に、前記１以上の入力ソース選択部および前記複数のデコード処理部の使用状況に基づき、さらに前記再生指示されたコンテンツが再生回数が制限されるコンテンツであるときには前記再生回数管理部により管理される前記再生指示されたコンテンツの再生可能回数に基づき、前記個別再生が可能か否か、および前記同期再生が可能か否かを判断し、
前記再生可否判断部の判断結果に基づき、前記複数のデコード処理部および前記複数の出力制御部のうち、前記再生指示されたコンテンツの再生に用いるデコード処理部および出力制御部を決定する再生経路決定部が設けられたことを特徴とする請求項１から１０のいずれか１項に記載の再生装置。
【請求項１２】
再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置を制御する制御装置であって、
前記コンテンツの再生可能回数を管理する再生回数管理部と、
前記複数の出力制御部のうちいずれかの出力制御部に対する前記コンテンツの再生指示がなされた場合に、前記再生回数管理部により管理される前記コンテンツの再生可能回数に基づき、前記再生指示された出力制御部での前記個別再生が可能か否か、および前記再生指示された出力制御部での前記同期再生が可能か否かを判断する再生可否判断部と、
前記再生可否判断部の判断結果に基づき、前記再生指示された出力制御部での前記個別再生または前記同期再生を行う再生制御部とを備え、
前記再生回数管理部は、前記個別再生が行われる場合に前記コンテンツの再生可能回数を１つ減算し、前記同期再生が行われる場合には前記コンテンツの再生可能回数の減算を行わないことを特徴とする制御装置。
【請求項１３】
再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置を制御する制御方法であって、
前記コンテンツの再生可能回数を管理する再生回数管理ステップと、
前記複数の出力制御部のうちいずれかの出力制御部に対する前記コンテンツの再生指示がなされた場合に、前記再生回数管理ステップにより管理される前記コンテンツの再生可能回数に基づき、前記再生指示された出力制御部での前記個別再生が可能か否か、および前記再生指示された出力制御部での前記同期再生が可能か否かを判断する再生可否判断ステップと、
前記再生可否判断ステップの判断結果に基づき、前記再生指示された出力制御部での前記個別再生または前記同期再生を行う再生制御ステップとを含み、
前記再生回数管理ステップは、前記個別再生が行われる場合に前記コンテンツの再生可能回数を１つ減算し、前記同期再生が行われる場合には前記コンテンツの再生可能回数の減算を行わないことを特徴とする制御方法。
【請求項１４】
再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置を制御する制御プログラムであって、
前記コンテンツの再生可能回数を管理する再生回数管理ステップと、
前記複数の出力制御部のうちいずれかの出力制御部に対する前記コンテンツの再生指示がなされた場合に、前記再生回数管理ステップにより管理される前記コンテンツの再生可能回数に基づき、前記再生指示された出力制御部での前記個別再生が可能か否か、および前記再生指示された出力制御部での前記同期再生が可能か否かを判断する再生可否判断ステップと、
前記再生可否判断ステップの判断結果に基づき、前記再生指示された出力制御部での前記個別再生または前記同期再生を行う再生制御ステップとをコンピュータに実行させ、
前記再生回数管理ステップは、前記個別再生が行われる場合に前記コンテンツの再生可能回数を１つ減算し、前記同期再生が行われる場合には前記コンテンツの再生可能回数の減算を行わないことを特徴とする制御プログラム。
【発明の詳細な説明】
【技術分野】
【０００１】
本発明は、再生装置、制御装置、制御方法、及び制御プログラムに関する。
【背景技術】
【０００２】
近年、車載映像音声（ＡＶ）機器では、高機能化が進み、多くのマルチメディアフォーマットへの対応が必要となっており、ハードディスクドライブ（ＨＤＤ）や、ＳＤカードデバイス、ＵＳＢ（Ｕｎｉｖｅｒｓａｌ  Ｓｅｒｉａｌ  Ｂｕｓ）メモリデバイス等の不揮発性メモリデバイス、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＢＤ（Ｂｌｕ−ｒａｙ  （登録商標）  Ｄｉｓｋ）等の光学ディスクデバイス、携帯オーディオプレーヤや携帯ＡＶプレーヤ等の可搬型ＡＶプレーヤ、ＷｉＦｉ等の無線ネットワーク等、対応する入力ソースも多様化している。さらに、助手席や左右の後部座席において互いに同一または異なるコンテンツを楽しみたいというニーズが増えてきている。【０００３】
また、コンテンツの中にはデジタル著作権管理（ＤＲＭ：Ｄｉｇｉｔａｌ  Ｒｉｇｈｔｓ  Ｍａｎａｇｅｍｅｎｔ）の情報を含むコンテンツもある。特許文献１には、デジタルオーディオコンテンツやデジタルビデオコンテンツの「Ｎ回再生」タイプのデジタル権利の利用を制御する方法が記載されている。
【先行技術文献】
【特許文献】
【０００４】
【特許文献１】特開２００７−２０１８９号公報
【発明の概要】
【発明が解決しようとする課題】
【０００５】
ところで、コンテンツを再生する複数の再生モードを有する再生装置では、再生回数が制限されるコンテンツを再生する際に、再生モードによらず常にコンテンツの再生可能回数を１つ減算すると、再生可能回数が多重に減算されるなど、再生可能回数が適切に管理されない場合がある。【０００６】
本発明は、再生モードに応じてコンテンツの再生可能回数を適切に管理することができる再生装置、制御装置、制御方法、及び制御プログラムを提供することを目的とする。
【課題を解決するための手段】
【０００７】
本発明に係る再生装置は、再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置であって、前記コンテンツの再生可能回数を管理する再生回数管理部と、前記複数の出力制御部のうちいずれかの出力制御部に対する前記コンテンツの再生指示がなされた場合に、前記再生回数管理部により管理される前記コンテンツの再生可能回数に基づき、前記再生指示された出力制御部での前記個別再生が可能か否か、および前記再生指示された出力制御部での前記同期再生が可能か否かを判断する再生可否判断部と、前記再生可否判断部の判断結果に基づき、前記再生指示された出力制御部での前記個別再生または前記同期再生を行う再生制御部とを備え、前記再生回数管理部は、前記個別再生が行われる場合に前記コンテンツの再生可能回数を１つ減算し、前記同期再生が行われる場合には前記コンテンツの再生可能回数の減算を行わないことを特徴とする。【０００８】
また、本発明に係る制御装置は、再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置を制御する制御装置であって、前記コンテンツの再生可能回数を管理する再生回数管理部と、前記複数の出力制御部のうちいずれかの出力制御部に対する前記コンテンツの再生指示がなされた場合に、前記再生回数管理部により管理される前記コンテンツの再生可能回数に基づき、前記再生指示された出力制御部での前記個別再生が可能か否か、および前記再生指示された出力制御部での前記同期再生が可能か否かを判断する再生可否判断部と、前記再生可否判断部の判断結果に基づき、前記再生指示された出力制御部での前記個別再生または前記同期再生を行う再生制御部とを備え、前記再生回数管理部は、前記個別再生が行われる場合に前記コンテンツの再生可能回数を１つ減算し、前記同期再生が行われる場合には前記コンテンツの再生可能回数の減算を行わないことを特徴とする。【０００９】
また、本発明に係る制御方法は、再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置を制御する制御方法であって、前記コンテンツの再生可能回数を管理する再生回数管理ステップと、前記複数の出力制御部のうちいずれかの出力制御部に対する前記コンテンツの再生指示がなされた場合に、前記再生回数管理ステップにより管理される前記コンテンツの再生可能回数に基づき、前記再生指示された出力制御部での前記個別再生が可能か否か、および前記再生指示された出力制御部での前記同期再生が可能か否かを判断する再生可否判断ステップと、前記再生可否判断ステップの判断結果に基づき、前記再生指示された出力制御部での前記個別再生または前記同期再生を行う再生制御ステップとを含み、前記再生回数管理ステップは、前記個別再生が行われる場合に前記コンテンツの再生可能回数を１つ減算し、前記同期再生が行われる場合には前記コンテンツの再生可能回数の減算を行わないことを特徴とする。【００１０】
また、本発明に係る制御プログラムは、再生対象のコンテンツをデコードする複数のデコード処理部と、前記複数のデコード処理部のいずれかでデコードされたコンテンツを再生出力する複数の出力制御部とを有し、前記複数のデコード処理部のうち１つのデコード処理部でデコードされたコンテンツを、前記複数の出力制御部のうち少なくとも２つの出力制御部で同期して再生する同期再生と、前記複数のデコード処理部のうち１つのデコード処理部でデコードされたコンテンツを、前記複数の出力制御部のうち１つの出力制御部で再生する個別再生とを行う再生装置を制御する制御プログラムであって、前記コンテンツの再生可能回数を管理する再生回数管理ステップと、前記複数の出力制御部のうちいずれかの出力制御部に対する前記コンテンツの再生指示がなされた場合に、前記再生回数管理ステップにより管理される前記コンテンツの再生可能回数に基づき、前記再生指示された出力制御部での前記個別再生が可能か否か、および前記再生指示された出力制御部での前記同期再生が可能か否かを判断する再生可否判断ステップと、前記再生可否判断ステップの判断結果に基づき、前記再生指示された出力制御部での前記個別再生または前記同期再生を行う再生制御ステップとをコンピュータに実行させ、前記再生回数管理ステップは、前記個別再生が行われる場合に前記コンテンツの再生可能回数を１つ減算し、前記同期再生が行われる場合には前記コンテンツの再生可能回数の減算を行わないことを特徴とする。
【発明の効果】
【００１１】
本発明によれば、再生モードに応じてコンテンツの再生可能回数を適切に管理することができる。
【図面の簡単な説明】
【００１２】
【図１】実施の形態における再生装置の構成を示すブロック図である。
【図２】同期再生が不可であるときの再生確認画面を示す図である。
【図３】同期再生が可能であるときの再生確認画面を示す図である。
【図４】特殊再生が要求されたときの再生確認画面を示す図である。
【図５】制御装置の再生開始時の動作手順を示すフローチャートである。
【図６】制御装置の再生停止時の動作手順を示すフローチャートである。
【図７】第１のケースにおける記録後の資源管理情報テーブルを示す図である。
【図８】第２のケースにおける記録後の資源管理情報テーブルを示す図である。
【図９】第３のケースにおける記録後の資源管理情報テーブルを示す図である。
【図１０】第５のケースにおける記録後の資源管理情報テーブルを示す図である。
【図１１】第１〜第５のケースにおける各再生系統の再生状態の遷移を示すタイミングチャートである。
【図１２】第１〜第５のケースにおける各再生系統の再生画面の遷移を示す図である。
【図１３】第６〜第８のケースにおける各再生系統の再生状態の遷移を示すタイミングチャートである。
【図１４】第６〜第８のケースにおける各再生系統の再生画面の遷移を示す図である。
【図１５】第９〜第１１のケースにおける各再生系統の再生状態の遷移を示すタイミングチャートである。
【図１６】第９〜第１１のケースにおける各再生系統の再生画面の遷移を示す図である。
【図１７】再生リストの表示例を示す図である。
【図１８】再生権利の失効の確認画面を示す図である。
【発明を実施するための形態】
【００１３】
以下、本発明の実施の形態を図面に従って説明する。
［再生装置の構成］
図１は、実施の形態に係る再生装置１００の構成を示すブロック図である。この再生装置１００は、１以上の入力ソース（または供給源）から供給される複数のコンテンツ（具体的にはデジタルデータ）を再生する。ここでは、再生装置１００は、映像コンテンツおよび音声コンテンツのうち少なくとも１つを含む映像音声コンテンツを再生する映像音声再生装置である。
【００１４】
再生装置１００は、再生回数が制限されるコンテンツの再生可能回数を管理する機能、および再生可能回数に基づいて当該コンテンツの再生を制御する機能を有する。再生回数の制限は、例えばデジタルコンテンツの著作権を管理または保護するためのものであり、再生回数が制限されるコンテンツは、例えばＤＲＭコンテンツと呼ばれる。以下の説明では、再生回数が制限されるコンテンツ、すなわち再生回数制限があるコンテンツを、「制限コンテンツ」と称する。一方、再生回数制限のないコンテンツを「非制限コンテンツ」と称する。
【００１５】
図１では、１以上の入力ソースとして、外部入力デバイス１１、光学ドライブ１２、メモリデバイス１３、ＡＶ携帯デバイス１４、およびネットワークデバイス１５が示されている。
【００１６】
外部入力デバイス１１は、コンポジット信号等のアナログの映像音声信号、またはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、登録商標）やＤＶＩ（Ｄｉｇｉｔａｌ  Ｖｉｓｕａｌ  Ｉｎｔｅｒｆａｃｅ）等のデジタルの映像音声信号を出力するものである。例えば、外部入力デバイス１１は、ＢＤプレーヤやビデオデッキなど、映像音声出力を持つデバイスであり、その映像音声出力をコンポジット入力やＨＤＭＩ入力として再生装置１００に供給する。
【００１７】
光学ドライブ１２は、ＣＤ、ＤＶＤ、ＢＤ等の光学ディスクを読み込むための装置である。ここでは、光学ドライブ１２は、再生装置１００内に含まれている。光学ドライブ１２に挿入される図示しない光ディスクには、動画ファイルや、音楽ファイル、静止画ファイル等が記録される。光ディスクに記録されるコンテンツの音声フォーマットとしてはＣＤ−ＤＡ等が挙げられ、映像フォーマットとしてはＤＶＤ−ＶＩＤＥＯやＢＤ−ＶＩＤＥＯ等が挙げられる。光学ドライブ１２は、要求に応じて、当該光学ドライブ１２に挿入された光ディスクの読み込みを行い、当該光ディスクのメディア情報や映像音声データを出力する。
【００１８】
メモリデバイス１３は、ＳＤカード、ＵＳＢメモリ、ＨＤＤ等の不揮発性メモリデバイスである。メモリデバイス１３には、上記光ディスクと同様に、動画ファイルや、音楽ファイル、静止画ファイル等が記録される。メモリデバイス１３は、再生装置１００からの要求に応じて、映像音声データを再生装置１００に出力する。
【００１９】
ＡＶ携帯デバイス１４は、例えば、高機能携帯電話や、携帯オーディオプレーヤ、携帯ＡＶプレーヤである。ＡＶ携帯デバイス１４には、大きく分けて３つの種類（または出力形式）がある。１つ目は、メモリデバイスとして認識され、メモリデバイス１３と同様に動作するものである。２つ目は、ＵＳＢ接続されて再生装置１００から再生制御され、ＡＶ携帯デバイス１４側でデコードを行い、外部入力デバイス１１と同様に映像音声信号を再生装置１００に出力するものである。３つ目は、ＵＳＢ接続されて再生装置１００から再生制御され、ストリーミングデータを再生装置１００に出力するものである。
【００２０】
ネットワークデバイス１５は、図示しないインターネットや携帯電話のデータ通信網等のネットワークにアクセスするデバイスである。ネットワークデバイス１５によりネットワーク上のコンテンツを再生する場合、コンテンツのデータを受信しながら再生を行うストリーミング形式と、一度メモリデバイス１３のような不揮発性メモリにコンテンツのデータをダウンロードした後に不揮発性メモリから再生するダウンロード形式がある。
【００２１】
なお、上記の映像音声信号は、映像信号および音声信号のうち少なくとも１つを含む信号であり、上記の映像音声データは、映像データおよび音声データのうち少なくとも１つを含むデータである。
【００２２】
再生装置１００は、入力デバイス選択部１０１、第１入力ソース選択部１１１、第２入力ソース選択部１１２、第１デコード処理部１２１、第２デコード処理部１２２、第１出力制御部１３１、第２出力制御部１３２、第３出力制御部１３３、第１出力部１４１、第２出力部１４２、第３出力部１４３、第１入力部１５１、第２入力部１５２、第３入力部１５３、および制御装置１６０を有する。以下の説明では、適宜、第１入力ソース選択部１１１および第２入力ソース選択部１１２を「入力ソース選択部」と称する。同様に、第１デコード処理部１２１および第２デコード処理部１２２を「デコード処理部」、第１出力制御部１３１、第２出力制御部１３２、および第３出力制御部１３３を「出力制御部」、第１出力部１４１、第２出力部１４２、および第３出力部１４３を「出力部」、第１入力部１５１、第２入力部１５２、および第３入力部１５３を「入力部」と称する。
【００２３】
入力デバイス選択部１０１は、入力ソース（本例では上述の各種入力デバイス１１〜１５）を接続するためのインターフェースを備え、当該入力デバイス選択部１０１に接続された入力ソースを検知して、検知結果を制御装置１６０に通知する。例えば、入力デバイス選択部１０１は、外部入力デバイス１１からの映像音声信号の有無を判断し、外部入力の映像音声信号の有無を示す情報を制御装置１６０に通知する。また、光学ドライブ１２に光ディスクが挿入された場合、入力デバイス選択部１０１は、当該光ディスクのメディア情報を光学ドライブ１２から取得し、当該メディア情報を制御装置１６０に送る。光学ドライブ１２から光ディスクが抜かれた場合、入力デバイス選択部１０１は、光ディスクが抜かれたことを制御装置１６０に通知する。入力デバイス選択部１０１は、メモリデバイス１３の挿入および抜去を検知し、検知結果をメモリデバイス状態情報として制御装置１６０に送る。入力デバイス選択部１０１は、ＡＶ携帯デバイス１４が接続された場合に、上記３つの種類の出力形式のうちいずれの出力形式かを判断して、出力形式を示すＡＶ携帯デバイス情報を制御装置１６０に送る。入力デバイス選択部１０１は、ＡＶ携帯デバイス１４が非接続状態になった場合、非接続状態を示すＡＶ携帯デバイス情報を制御装置１６０に送る。入力デバイス選択部１０１は、ネットワーク通信状況を監視し、ネットワークまたはネットワークデバイス１５が利用可能であるかを判断し、判断結果をネットワーク利用可否情報として制御装置１６０に送る。上記の各種情報は、例えば、制御装置１６０での制御に用いられ、出力部に表示される。
【００２４】
また、入力デバイス選択部１０１は、入力ソースに記録されたコンテンツを再生する場合に、当該入力ソースから再生対象のコンテンツを取得し、後段の入力ソース選択部に送る。例えば、光学ドライブ１２の光ディスクに記録されたコンテンツを再生する場合、入力デバイス選択部１０１は、光学ドライブ１２に対して読み込み要求を行い、光学ドライブ１２からコンテンツの映像音声データを読み込み、後段の入力ソース選択部に出力する。また例えば、メモリデバイス１３に記録されたコンテンツを再生する場合、入力デバイス選択部１０１は、メモリデバイス１３に対して読み込み要求を行い、メモリデバイス１３からコンテンツの映像音声データを読み込み、後段の入力ソース選択部に出力する。
【００２５】
第１入力ソース選択部１１１は、１以上の入力ソースから供給される複数のコンテンツから再生を行うコンテンツを選択して複数のデコード処理部のいずれかに出力する。具体的には、第１入力ソース選択部１１１は、後述の再生制御部１８３からの命令に従って再生対象のコンテンツを選択し、当該コンテンツに対応する入力ソースから入力デバイス選択部１０１を介して当該コンテンツ（具体的には、映像音声信号、映像音声データ、またはストリーミングデータ）を取得し、当該コンテンツを処理して後段のデコード処理部に出力する。第１入力ソース選択部１１１は、デマルチプレクス（ＤＥＭＵＸ）機能を有し、入力デバイス選択部１０１から映像音声データまたはストリーミングデータを受け取った場合、当該データに対してＤＥＭＵＸを行って、映像ストリームデータ、音声ストリームデータ、および字幕等の付帯ストリームデータを分離し、得られたストリームデータをデコード処理部に出力する。第１入力ソース選択部１１１は、入力デバイス選択部１０１から映像音声信号を受け取った場合には、当該映像音声信号をそのまま後段のデコード処理部に出力する。第２入力ソース選択部１１２は、第１入力ソース選択部１１１と同様の処理を行う。
【００２６】
第１デコード処理部１２１は、第１入力ソース選択部１１１または第２入力ソース選択部１１２により選択されたコンテンツをデコードし、デコードされたコンテンツを出力する。具体的には、第１デコード処理部１２１は、第１入力ソース選択部１１１または第２入力ソース選択部１１２から出力された映像ストリームデータや音声ストリームデータ等のストリームデータをデコードして映像音声信号に変換し、得られた映像音声信号を後段の出力制御部１３１〜１３３のうち１つまたは複数の出力制御部に出力する。例えば、第１デコード処理部１２１は、デコードされた映像信号および音声信号を同期させて出力する。第１デコード処理部１２１は、例えば、映像ストリームデータをデコードするための映像用デコード処理部と、音声ストリームデータをデコードするための音声用デコード処理部と、字幕等の付帯ストリームデータをデコードするための字幕用デコード処理部とを含む。第１デコード処理部１２１は、入力ソース選択部から映像音声信号を受け取った場合、デコードが不要であることから、当該映像音声信号をそのまま後段の１つまたは複数の出力制御部に出力する。第２デコード処理部１２２は、第１デコード処理部１２１と同様の処理を行う。
【００２７】
第１出力制御部１３１は、デコード処理部（第１デコード処理部１２１または第２デコード処理部１２２）からのデコードされたコンテンツである映像音声信号を第１出力部１４１に再生出力する。具体的には、第１出力制御部１３１は、デコード処理部からの映像信号に、制御装置１６０で生成されたグラフィックユーザインタフェース（ＧＵＩ）等のグラフィック画面の映像信号を重畳し、得られた映像信号を第１出力部１４１の第１モニタ１４１ｍに再生出力する。また、第１出力制御部１３１は、デコード処理部からの音声信号を第１出力部１４１の第１スピーカ１４１ｓに再生出力する。第２出力制御部１３２は、第１出力制御部１３１と同様の処理を行い、映像信号を第２出力部１４２の第２モニタ１４２ｍに再生出力し、音声信号を第２出力部１４２の第２スピーカ１４２ｓに再生出力する。第３出力制御部１３３は、第１出力制御部１３１と同様の処理を行い、映像信号を第３出力部１４３の第３モニタ１４３ｍに再生出力し、音声信号を第３出力部１４３の第３スピーカ１４３ｓに再生出力する。
【００２８】
第１出力部１４１は、第１出力制御部１３１からのコンテンツを出力するものであり、映像信号を表示する第１モニタ１４１ｍと、音声信号を出力する第１スピーカ１４１ｓとを含む。第２出力部１４２は、第２出力制御部１３２からのコンテンツを出力するものであり、映像信号を表示する第２モニタ１４２ｍと、音声信号を出力する第２スピーカ１４２ｓとを含む。第３出力部１４３は、第３出力制御部１３３からのコンテンツを出力するものであり、映像信号を表示する第３モニタ１４３ｍと、音声信号を出力する第３スピーカ１４３ｓとを含む。例えば、車載環境であれば、第１モニタ１４１ｍおよび第１スピーカ１４１ｓは後部座席右側用のモニタおよびヘッドホンであり、第２モニタ１４２ｍおよび第２スピーカ１４２ｓは後部座席左側用のモニタおよびヘッドホンであり、第３モニタ１４３ｍおよび第３スピーカ１４３ｓは前部座席に設置された図示しないカーナビゲーションシステム等のモニタおよび車内スピーカである。
【００２９】
第１入力部１５１、第２入力部１５２、および第３入力部１５３は、それぞれ、ユーザからの入力を受け付けるリモコンやタッチパネルモニタ等のユーザインタフェースである。第１入力部１５１は、第１出力部１４１での再生に関する指示を受け付け、第２入力部１５２は、第２出力部１４２での再生に関する指示を受け付け、第３入力部１５３は、第３出力部１４３での再生に関する指示を受け付ける。例えば、車載環境であれば、第１入力部１５１、第２入力部１５２、および第３入力部１５３は、それぞれ、後部座席右側用、後部座席左側用、前部座席用の入力部である。
【００３０】
ここで、ある出力部（または出力制御部）でコンテンツを再生するための系統（システム、または機能ブロックの集合）を「再生系統」と呼ぶこととする。図１の例では、第１出力部１４１でコンテンツを再生するための第１再生系統と、第２出力部１４２でコンテンツを再生するための第２再生系統と、第３出力部１４３でコンテンツを再生するための第３再生系統とがある。第１入力部１５１、第２入力部１５２、および第３入力部１５３は、それぞれ、第１再生系統、第２再生系統、および第３再生系統に対応し、対応する再生系統での再生に関する指示を受け付ける。
【００３１】
制御装置１６０は、再生装置１００の各部を制御して再生装置１００の動作を制御するものであり、例えばＣＰＵ（Ｃｅｎｔｒａｌ  Ｐｒｏｃｅｓｓｉｎｇ  Ｕｎｉｔ）により構成される。制御装置１６０は、指示受付部１７０および制御部１８０を有する。
【００３２】
指示受付部１７０は、複数の出力部のうち特定の出力部での特定のコンテンツの再生指示を受け付ける。指示受付部１７０は、複数の出力制御部１３１〜１３３のうちいずれかの出力制御部に対する複数のコンテンツのうちいずれかのコンテンツの再生指示を受け付ける。すなわち、指示受付部１７０は、複数のコンテンツのうちのいずれかのコンテンツを複数の出力制御部のうちのいずれかの出力制御部で再生するための再生指示を受け付ける。本例では、指示受付部１７０は、第１入力部１５１を介して第１出力部１４１でのコンテンツの再生に関する指示を受け付け、第２入力部１５２を介して第２出力部１４２でのコンテンツの再生に関する指示を受け付け、第３入力部１５３を介して第３出力部１４３でのコンテンツの再生に関する指示を受け付ける。ここで、再生に関する指示としては、例えば、再生を開始させるための再生指示（または再生開始指示）、再生を停止させるための再生停止指示、特殊再生を実行させるための特殊再生指示がある。特殊再生は、早送り、早戻し、一時停止、コマ送り、コマ戻し等を含む。
【００３３】
制御部１８０は、指示受付部１７０により受け付けられた指示に応じて、入力ソース選択部、デコード処理部、および出力制御部を使用して、各出力部でのコンテンツの再生を制御する。コンテンツの再生には、複数のデコード処理部のうち１つのデコード処理部でデコードされたコンテンツを、複数の出力制御部のうち少なくとも２つの出力制御部で同期して再生する同期再生と、複数のデコード処理部のうち１つのデコード処理部でデコードされたコンテンツを、複数の出力制御部のうち１つの出力制御部で再生する個別再生とがある。同期して再生することは、同時に再生すること、および一定の時間差で再生することを含む。個別再生は、非同期再生とも呼べる。制御部１８０は、各再生系統の再生制御を管理し、再生系統毎に、当該再生系統で使用される、入力ソース選択部、デコード処理部、および出力制御部に対して再生動作制御命令を与え、コンテンツの再生開始、再生停止、早送りや早戻し等の特殊再生、レジューム再生に関する処理等を行う。さらに、制御部１８０は、制限コンテンツの再生可能回数を管理する機能、および再生可能回数に基づいて制限コンテンツの再生を制御する機能を有する。
【００３４】
制御部１８０は、コンテンツの再生指示がなされた場合に、再生指示された出力制御部での再生指示されたコンテンツの個別再生が可能か否か、および再生指示された出力制御部での再生指示されたコンテンツの同期再生が可能か否かを判断する。具体的には、制御部１８０は、指示受付部１７０によりコンテンツの再生指示が受け付けられた場合に、再生指示された出力制御部以外の他の出力制御部での再生に使用中でないデコード処理部を用いた、再生指示された出力制御部での再生指示されたコンテンツの個別再生が可能か否か、および、再生指示された出力制御部以外の他の出力制御部での再生指示されたコンテンツの再生に使用中であるデコード処理部を用いた、再生指示された出力制御部と上記他の出力制御部とでの再生指示されたコンテンツの同期再生が可能か否かを判断する。そして、制御部１８０は、上記判断の結果に基づき、再生指示されたコンテンツの個別再生または同期再生を行う。
【００３５】
なお、以下の説明では、再生指示された出力制御部以外の他の出力制御部を、適宜「他の出力制御部」と称する。同様に、再生指示された再生系統（または出力部）以外の他の再生系統（または出力部）を、適宜「他の再生系統（または出力部）」と称する。
【００３６】
例えば、制御部１８０は、コンテンツの再生指示が受け付けられた場合に、当該コンテンツの個別再生が可能かを判断し、可能である場合に、複数のデコード処理部のうち当該個別再生に使用可能なデコード処理部を使用して当該個別再生を行う。一方、当該コンテンツの個別再生が可能でないと判断された場合には、制御部１８０は、既に他の再生系統で当該コンテンツの再生が行われているか否かを判断し、行われているときには、当該他の再生系統で用いられているデコード処理部（または当該他の再生系統でのデコード処理後のコンテンツ）を利用した当該コンテンツの再生（同期再生）を行う。同期再生では、再生指示された出力部と他の出力部との間で同期した再生が行われる。
【００３７】
また、制御部１８０は、指示受付部１７０により再生停止指示や特殊再生指示が受け付けられた場合、指示された再生系統で使用されているデコード処理部および出力制御部を制御して、指示された再生系統での再生停止や特殊再生を実行する。
【００３８】
図１において、制御部１８０は、再生可否判断部１８１、再生経路決定部１８２、再生制御部１８３、および再生回数管理部１８４を有する。
【００３９】
再生回数管理部１８４は、入力ソースから供給されるコンテンツのうち制限コンテンツの再生可能回数（または残再生回数）を管理する。本例では、管理情報領域１９０に管理情報が保存されており、この管理情報には、各制限コンテンツについて、コンテンツの再生可能回数を示す再生可能回数情報と、コンテンツの再生権利の有無を示す再生権利有無情報とが記録されている。再生回数管理部１８４は、管理情報領域１９０に記憶されている管理情報を管理する。管理情報領域１９０は、制限コンテンツを記録したデバイス、再生装置１００内部の不揮発性メモリ、ネットワークデバイス１５からアクセス可能な、制限コンテンツを管理するコンテンツ管理サーバなどにある。再生権利有無情報は、再生可能回数が１つ消費されることによって再生可能となる期間を管理するための情報である。再生権利有無情報は、再生権利がある（または有効である）ことを示す「あり」、または再生権利がない（または無効である）ことを示す「なし」に設定される。
【００４０】
再生可否判断部１８１は、指示受付部１７０により再生指示が受け付けられた場合に、複数のデコード処理部のいずれかで再生指示されたコンテンツの再生が可能か否かを判断する。具体的には、再生可否判断部１８１は、再生指示されたコンテンツの個別再生が可能か否か、および再生指示されたコンテンツの同期再生が可能か否かを判断する。より具体的には、再生可否判断部１８１は、コンテンツの再生指示がなされた場合に、再生指示された出力制御部以外の他の出力制御部での再生に使用中でないデコード処理部を用いた、再生指示された出力制御部での再生指示されたコンテンツの個別再生が可能か否か、および、再生指示された出力制御部以外の他の出力制御部での再生指示されたコンテンツの再生に使用中であるデコード処理部を用いた、再生指示された出力制御部と上記他の出力制御部とでの再生指示されたコンテンツの同期再生が可能か否かを判断する。また、再生可否判断部１８１は、コンテンツの再生指示がなされた場合に、１以上の入力ソース選択部および複数のデコード処理部の使用状況に基づき、さらに再生指示されたコンテンツが制限コンテンツであるときには再生回数管理部１８４により管理される再生指示されたコンテンツの再生可能回数に基づき、個別再生が可能か否か、および同期再生が可能か否かを判断する。
【００４１】
再生可否判断部１８１は、制限コンテンツの個別再生が可能か否かを判断する際、当該コンテンツの再生可能回数が１以上である場合に個別再生が可能であると判断し、再生可能回数が０である場合に個別再生は可能でないと判断する。この際、再生権利有無情報は利用されない。本例では、再生可否判断部１８１は、複数のデコード処理部の使用状況に基づき、個別再生に使用可能なデコード処理部があるか否かを判断し、デコード処理部があると判断され、かつ再生可能回数が１以上である場合に、個別再生が可能であると判断し、デコード処理部がないと判断されたか、または再生可能回数が０である場合に、個別再生は可能でないと判断する。一方、非制限コンテンツの個別再生が可能か否かを判断する際には、再生可否判断部１８１は、複数のデコード処理部の使用状況に基づき、個別再生に使用可能なデコード処理部があるかを判断し、デコード処理部があると判断された場合に個別再生が可能であると判断し、デコード処理部がないと判断された場合に個別再生は可能でないと判断する。
【００４２】
再生可否判断部１８１は、コンテンツの同期再生が可能か否かを判断する際には、当該コンテンツが制限コンテンツか否かによらず、またコンテンツの再生可能回数によらず、再生指示された出力制御部以外の他の出力制御部で当該コンテンツが再生されている場合に同期再生が可能であると判断し、再生されていない場合には同期再生は可能でないと判断する。ただし、再生可否判断部１８１は、制限コンテンツの同期再生が可能か否かを判断する際、当該制限コンテンツの再生権利有無情報が有効か否かを判断し、有効である場合のみ、制限コンテンツの同期再生が可能であると判断してもよい。
【００４３】
例えば、再生可否判断部１８１は、既に複数のデコード処理部のうちの一つで第１のコンテンツが再生されているときに（すなわち既に他の再生系統で第１のコンテンツが再生されているときに）、指示受付部１７０で新たに第２のコンテンツの再生指示が受け付けられた場合、第１のコンテンツの再生に用いられているデコード処理部とは異なるデコード処理部を用いた第２のコンテンツの再生（すなわち個別再生）が可能か否かを判断する。そして、個別再生が可能でないと判断した場合、再生可否判断部１８１は、第２のコンテンツ（すなわち再生指示されたコンテンツ）が、第１のコンテンツ（すなわち既に他の再生系統で再生されているコンテンツ）と同一か否かを判断し、同一である場合には同期再生が可能であると判断し、同一でない場合には同期再生は可能でないと判断する。
【００４４】
再生経路決定部１８２は、再生指示されたコンテンツを再生するための再生経路（「再生パス」、「信号経路」とも呼べる）を決定するものであり、再生可否判断部１８１の判断結果に基づき、複数のデコード処理部１２１〜１２２および複数の出力制御部１３１〜１３３のうち、再生指示されたコンテンツの再生に用いるデコード処理部および出力制御部を決定する。具体的には、再生経路決定部１８２は、再生可否判断部１８１により個別再生が可能であると判断された場合には、複数のデコード処理部のうち当該個別再生に使用可能なデコード処理部を、再生指示されたコンテンツの再生に用いるデコード処理部として決定し、再生指示された出力部に対応する出力制御部を、再生指示されたコンテンツの再生に用いる出力制御部として決定する。また、再生経路決定部１８２は、再生可否判断部１８１により再生指示されたコンテンツ（第２のコンテンツ）が既に他の再生系統で再生されているコンテンツ（第１のコンテンツ）と同一であると判断された場合には、当該他の再生系統で使用されているデコード処理部（第１のコンテンツの再生に用いられているデコード処理部）を、再生指示されたコンテンツの再生に用いるデコード処理部として決定し、再生指示された出力部に対応する出力制御部を、再生指示されたコンテンツの再生に用いる出力制御部として決定する。
【００４５】
再生制御部１８３は、指示受付部１７０により受け付けられた指示（またはユーザ操作イベント）に従い、入力ソース選択部、デコード処理部、および出力制御部を制御し、コンテンツの再生を制御する。指示受付部１７０によりコンテンツの再生指示が受け付けられた場合、再生制御部１８３は、再生可否判断部１８１の判断結果に基づき、再生指示された出力制御部での再生指示されたコンテンツの個別再生または同期再生を行う。具体的には、再生制御部１８３は、個別再生が可能と判断された場合、再生指示された出力制御部以外の他の出力制御部での再生に使用中でないデコード処理部を用いた、再生指示された出力制御部での再生指示されたコンテンツの個別再生を行い、同期再生が可能と判断された場合、再生指示された出力制御部以外の他の出力制御部での再生指示されたコンテンツの再生に使用中であるデコード処理部を用いた、再生指示された出力制御部と上記他の出力制御部とでの再生指示されたコンテンツの同期再生を行う。図１の例では、再生制御部１８３は、再生経路決定部１８２によって決定されたデコード処理部および出力制御部を用いて、再生指示された出力部での再生指示されたコンテンツの再生（個別再生または同期再生）を行うように制御する。
【００４６】
再生回数管理部１８４は、再生指示されたコンテンツが制限コンテンツである場合、当該コンテンツの個別再生が行われるときに当該コンテンツの再生可能回数を１つ減算し、当該コンテンツの同期再生が行われる場合には当該コンテンツの再生可能回数の減算を行わない。また、再生回数管理部１８４は、制限コンテンツの個別再生が行われる場合において、当該コンテンツの再生権利有無情報が「なし」であるときには、当該コンテンツの再生可能回数を１つ減算し、当該コンテンツの再生権利有無情報を「あり」に更新する。さらに、再生回数管理部１８４は、コンテンツの再生権利を失効させる所定のイベントを検知した場合に、当該コンテンツの再生権利有無情報を「なし」に更新する。なお、再生回数管理部１８４は、１つの制限コンテンツにつき複数の再生権利有無情報を管理してもよい。例えば、再生回数管理部１８４は、第１の制限コンテンツの個別再生が行われ、この第１の制限コンテンツの再生中に、第１の制限コンテンツと同一の第２の制限コンテンツの個別再生が行われる場合、第１の制限コンテンツの個別再生時に第１の制限コンテンツに対応する再生権利有無情報を「あり」に更新し、第２の制限コンテンツの個別再生時に第２の制限コンテンツに対応する再生権利有無情報を「あり」に更新し、これらの再生権利有無情報を別々に管理してもよい。
【００４７】
制御装置１６０は、さらに下記（Ａ）〜（Ｅ）の機能を有してもよい。
（Ａ）制御装置１６０は、２以上の出力制御部で制限コンテンツの同期再生が行われている際に、上記２以上の出力制御部のうちいずれかの出力制御部に対する再生停止指示を受けた場合、停止指示された出力制御部でのコンテンツの再生を停止し、上記２以上の出力制御部のうちの他の出力制御部でのコンテンツの再生を継続する。この場合、制御装置１６０は、例えば、上記コンテンツの再生権利有無情報を「あり」に維持し、上記コンテンツの再生権利を失効させない。
【００４８】
（Ｂ）制御装置１６０は、再生可否判断部１８１により制限コンテンツの個別再生が可能であると判断された場合、個別再生を行うとコンテンツの再生可能回数が減算される旨を提示し、個別再生を行うか否かの選択をユーザから受け付け、個別再生を行うことが選択されたときに個別再生を実行する。例えば、制御装置１６０は、再生指示された出力部に、図２に示すような再生確認画面を表示させる。図２の再生確認画面は、個別再生モードのときには再生可能回数が消費され、再生しないときには再生可能回数が消費されない旨を示し、個別再生モードおよび再生中止（再生しません）のうちのいずれかの選択をユーザから受け付けるように構成されている。そして、制御装置１６０は、ユーザにより個別再生モードが選択された場合に個別再生を実行し、再生中止が選択された場合には再生を実行しない。
【００４９】
（Ｃ）制御装置１６０は、再生可否判断部１８１により、制限コンテンツの個別再生および同期再生が可能であると判断された場合、個別再生を行うとコンテンツの再生可能回数が減算され、同期再生を行うとコンテンツの再生可能回数が減算されない旨を提示し、個別再生および同期再生のうちいずれを行うかの選択をユーザから受け付け、ユーザにより選択された再生を行う。例えば、制御装置１６０は、再生指示された出力部に、図３に示すような再生確認画面を表示させる。図３の再生確認画面は、個別再生モードのときには再生可能回数が消費され、同期再生モードのとき、および再生しないときには再生可能回数が消費されない旨を示し、個別再生モード、同期再生モード、および再生中止（再生しません）のうちのいずれかの選択をユーザから受け付けるように構成されている。そして、制御装置１６０は、ユーザにより個別再生モードが選択された場合に個別再生を実行し、同期再生モードが選択された場合に同期再生を実行し、再生中止が選択された場合には再生を実行しない。
【００５０】
（Ｄ）制御装置１６０は、２以上の出力制御部でのコンテンツの同期再生が行われている際に、上記２以上の出力制御部のうちいずれかの出力制御部に対する特殊再生指示を受けた場合、当該コンテンツを上記同期再生に使用されているデコード処理部と異なるデコード処理部を用いてデコードして特殊再生指示を受けた出力制御部で特殊再生し、上記２以上の出力制御部のうち特殊再生指示を受けていない他の出力制御部での当該コンテンツの再生を継続する。例えば、制御装置１６０は、２以上の出力制御部でのコンテンツの同期再生が行われている際に、上記２以上の出力制御部のうちいずれかの出力制御部に対する特殊再生指示を受けた場合、上記２以上の出力制御部のうち特殊再生指示された出力制御部以外の他の出力制御部と異なるデコード処理部を用いた、特殊再生指示された出力制御部での当該コンテンツの再生（すなわち個別再生）が可能かを判断し、可能であると判断したとき、特殊再生指示された出力制御部での他の出力制御部と異なるデコード処理部を用いた当該コンテンツの特殊再生（すなわち個別再生モードでの特殊再生）を行い、他の出力制御部での当該コンテンツの再生を継続する。このとき、他の出力制御部が１つである場合には、他の出力制御部での再生モードは、同期再生モードから個別再生モードに切り替わる。
【００５１】
（Ｅ）上記（Ｄ）において、制御装置１６０は、特殊再生指示された出力制御部でのコンテンツの個別再生が可能であると判断したときに、他の出力制御部と異なるデコード処理部を用いた再生（すなわち個別再生）を行うとコンテンツの再生可能回数が減算され、他の出力制御部と同一のデコード処理部を用いた再生（すなわち同期再生）を行うとコンテンツの再生可能回数が減算されない旨を提示し、個別再生および同期再生のうちいずれを行うかの選択をユーザから受け付け、ユーザにより選択された再生を行う。例えば、制御装置１６０は、特殊再生指示された出力部に、図４に示すような再生確認画面を表示させる。図４の再生確認画面は、個別再生モードで特殊再生するときには再生可能回数が消費され、同期再生モードで特殊再生するとき、および特殊再生しないときには再生可能回数が消費されない旨を示し、個別再生モード、同期再生モード、および特殊再生中止（特殊再生を行いません）のうちのいずれかの選択をユーザから受け付けるように構成されている。そして、制御装置１６０は、ユーザにより個別再生モードが選択された場合に個別再生モードで特殊再生を実行し、同期再生モードが選択された場合に同期再生モードで特殊再生を実行し、特殊再生中止が選択された場合には特殊再生を実行しない。なお、同期再生モードが選択された場合、制御装置１６０は、特殊再生を実行せずに、同期再生モードで通常再生を継続してもよい。
【００５２】
具体的な一態様では、再生可否判断部１８１、再生経路決定部１８２、再生制御部１８３、および再生回数管理部１８４は、以下のように構成される。
【００５３】
再生可否判断部１８１は、コンテンツの再生指示を受けると、第一段階において、コンテンツの再生回数制限（または再生可能回数）を考慮せずに、コンテンツを再生するための資源（デコード処理部等）の使用状況に基づき、再生指示されたコンテンツの個別再生が可能か否かを判断する。そして、第一段階で個別再生可能と判断された場合、再生可否判断部１８１は、第二段階において、再生指示されたコンテンツが制限コンテンツであるかを判断し、制限コンテンツでない場合、個別再生が可能であると最終的に判断し、制限コンテンツである場合には、再生指示されたコンテンツの再生可能回数に基づいて個別再生が可能か否かを最終的に判断する。第一段階または第二段階で個別再生不可と判断された場合、再生可否判断部１８１は、再生指示されたコンテンツの同期再生が可能か否かを判断する。
【００５４】
具体的には、再生可否判断部１８１は、ユーザからのコンテンツの再生指示を受けると、第一段階において、１以上の入力ソース選択部および複数のデコード処理部の使用状況に基づき、１以上の入力ソース選択部の中に当該コンテンツの個別再生に使用可能な入力ソース選択部（例えば再生に使用中でない入力ソース選択部）が存在するか否か、複数のデコード処理部の中に当該コンテンツの個別再生に使用可能なデコード処理部（例えば再生に使用中でないデコード処理部）が存在するか否か、当該コンテンツに対応する入力ソースが当該コンテンツの個別再生に使用可能か否かを判断し、使用可能な入力ソース選択部が存在し、使用可能なデコード処理部が存在し、かつ入力ソースが使用可能である場合には個別再生が可能と判断し、それ以外の場合には個別再生は不可であると判断する。
【００５５】
第一段階で個別再生が可能と判断された場合、第二段階において、再生可否判断部１８１は、再生指示されたコンテンツが制限コンテンツであるか否かを判断し、制限コンテンツでない場合、個別再生が可能であると判断し、個別再生が利用可能であることを示す再生モード情報を再生経路決定部１８２に伝達する。
【００５６】
一方、制限コンテンツである場合には、再生可否判断部１８１は、当該コンテンツの再生可能回数があるかを確認するための再生回数確認通知を再生回数管理部１８４に送り、再生回数管理部１８４からの応答に基づき、再生可能回数がない場合には個別再生は可能でないと判断する。一方、再生可能回数がある場合には、再生可否判断部１８１は、個別再生が可能であると判断し、再生可能回数を消費するか否かをユーザに確認するための確認画面（例えば図２の再生確認画面）を表示させ、確認結果が再生指示であれば、再生回数制限ありを示す情報を含む、個別再生モードが利用可能であることを示す再生モード情報を再生経路決定部１８２に伝達する。また、確認結果が再生指示中断であれば、再生指示のキャンセルを行う。
【００５７】
第一段階または第二段階で個別再生が不可であると判断された場合には、再生可否判断部１８１は、再生指示された再生系統以外の他の再生系統で、再生指示されたコンテンツの再生が行われているか否かを判断し、行われている場合には同期再生が可能であると判断し、行われていない場合には同期再生は不可であると判断する。そして、同期再生が可能であると判断された場合には、再生可否判断部１８１は、同期再生モードが利用可能であることを示す再生モード情報を再生経路決定部１８２に伝達する。
【００５８】
再生経路決定部１８２は、再生可否判断部１８１から伝達された再生モード情報に基づき、個別再生モードが利用可能である場合には、個別再生に使用可能な入力ソース選択部およびデコード処理部を含む経路を再生経路として確定し、同期再生モードが利用可能である場合には、再生指示されたコンテンツを再生中の他の再生系統で使用されている入力ソース選択部およびデコード処理部を含む経路を再生経路として確定し、再生制御部１８３に再生経路決定通知を送る。再生可否判断部１８１からの再生モード情報に再生回数制限ありを示す情報が含まれている場合、再生経路決定部１８２は、再生制御部１８３に対して、再生回数制限ありを示す情報を含む再生経路決定通知を送る。
【００５９】
再生制御部１８３は、再生経路決定部１８２からの再生経路決定通知を受け、再生経路決定部１８２により決定された再生経路に含まれる入力ソース選択部、デコード処理部、および出力制御部を制御することにより、再生指示された出力部での再生指示されたコンテンツの個別再生または同期再生を行う。再生経路決定部１８２からの再生経路決定通知に再生回数制限ありを示す情報が含まれている場合、再生制御部１８３は、コンテンツの個別再生処理の開始後、再生回数管理部１８４に対して、再生可能回数を減算するための再生回数消費通知を送る。
【００６０】
また、再生制御部１８３は、指示受付部１７０により特定の出力部での再生について再生停止指示が受け付けられた場合、当該再生の再生経路に含まれる入力ソース選択部およびデコード処理部の動作を停止させ、当該再生の停止を行う。また、再生制御部１８３は、指示受付部１７０により特定の出力部での再生について特殊再生指示が受け付けられた場合、当該再生の再生経路に含まれる入力ソース選択部およびデコード処理部を制御して、特殊再生を行う。
【００６１】
さらに、再生制御部１８３は、出力部毎に、再生装置１００への電源供給停止時に、コンテンツの再生位置を示すレジューム情報を保存し、再生装置１００への電源供給開始後に、レジューム情報により示される再生位置からコンテンツの再生を再開するレジューム再生機能を有する。例えば、車載環境では、エンジンの停止および始動等により再生装置１００への電源供給が停止および開始される。再生制御部１８３は、エンジン停止等による電源供給停止時に、コンテンツの再生位置を保存し、エンジン始動等による電源供給開始後に、保存された再生位置からコンテンツの再生を再開する。なお、電源供給停止時に、コンテンツの再生は停止するが、当該コンテンツの再生権利有無情報は「あり」に維持される。
【００６２】
また、再生制御部１８３は、コンテンツの個別再生中に再生停止指示を受けた場合、当該コンテンツの個別再生を停止させるとともに、当該コンテンツの再生位置を示すレジューム情報を保存し、その後、当該コンテンツの再生指示を受けたときに、レジューム情報により示される再生位置からコンテンツの再生を再開するレジューム再生機能を有する。上記再生停止指示されたコンテンツが制限コンテンツである場合、当該コンテンツの個別再生停止時に、当該コンテンツの再生権利有無情報は「あり」に維持される。
【００６３】
また、再生制御部１８３は、制限コンテンツの再生権利を失効させる所定のイベントの発生を検知した場合には、再生回数管理部１８４に対して、当該コンテンツの再生権利を失効させるための再生権利失効通知を送る。上記所定のイベントとしては、例えば、コンテンツを個別再生中に再生位置が終端に達した場合（再生終端到達時）や、ユーザの再生停止指示または電源供給停止により個別再生が停止した状態で、且つレジューム情報が保存されている状態でユーザから停止指示（レジューム情報を破棄する指示）を受けた場合、ユーザからの別のコンテンツに対する再生指示を受けた場合（例えばスキップ等により次のコンテンツの再生が要求された場合）がある。
【００６４】
再生回数管理部１８４は、再生可否判断部１８１からの再生回数確認通知を受け取った場合、管理情報領域１９０から再生可能回数情報を読み出し、再生可能回数があるか否かを再生可否判断部１８１に伝達する。また、再生回数管理部１８４は、再生制御部１８３から再生回数消費通知を受け取った場合、再生制御部１８３により個別再生された制限コンテンツの再生可能回数を１カウントダウンし、当該コンテンツの再生権利有無情報を「あり」に更新する。また、再生回数管理部１８４は、再生制御部１８３からの再生権利失効通知を受け取った場合、管理情報領域１９０に記憶されている再生権利有無情報を「なし」に更新する。
【００６５】
［再生装置の再生開始時の動作］
図５は、制御装置１６０の再生開始時の動作手順を示すフローチャートである。以下、図５を参照して、制御装置１６０の再生開始時の動作を説明する。
【００６６】
指示受付部１７０は、入力部１５１，１５２，１５３のうちのいずれかの入力部からのコンテンツの再生指示を受けると（Ｓ２０１）、当該再生指示を受けた入力部を識別する入力部識別情報と、当該コンテンツを供給する入力ソースを識別する入力ソース識別情報と、当該コンテンツを識別するコンテンツ識別情報（例えばファイルパス）とを含む再生要求情報を、再生制御部１８３に送る。再生制御部１８３は、指示受付部１７０からの再生要求情報を受け取ると、個別再生または同期再生が可能かを判断するために、当該再生要求情報を再生可否判断部１８１に送る。
【００６７】
再生可否判断部１８１は、再生制御部１８３からの再生要求情報を受け取ると、入力ソース、入力ソース選択部、デコード処理部、および出力制御部の使用状況を確認し、個別再生または同期再生が可能かを判断する。
【００６８】
具体的には、再生可否判断部１８１は、再生要求情報を受け取ると、すべての入力ソース選択部の使用状況を確認し、使用可能な入力ソース選択部（ここでは、再生に使用中でない入力ソース選択部）があるかを判断する（Ｓ２０２）。そして、使用可能な入力ソース選択部がない場合は（Ｓ２０２：ＮＯ）、個別再生は不可であると判断し、処理をステップＳ２１０に進める。一方、使用可能な入力ソース選択部がある場合は（Ｓ２０２：ＹＥＳ）、再生可否判断部１８１は、使用可能な入力ソース選択部を予約する（Ｓ２０３）。
【００６９】
入力ソース選択部の予約が完了した後、再生可否判断部１８１は、すべてのデコード処理部の使用状況を確認し、使用可能なデコード処理部（ここでは、再生に使用中でないデコード処理部）があるかを判断する（Ｓ２０４）。そして、使用可能なデコード処理部がない場合は（Ｓ２０４：ＮＯ）、個別再生は不可であると判断し、ステップＳ２０３での予約をキャンセルし（Ｓ２０９）、処理をステップＳ２１０に進める。一方、使用可能なデコード処理部がある場合は（Ｓ２０４：ＹＥＳ）、再生可否判断部１８１は、使用可能なデコード処理部を予約する（Ｓ２０５）。
【００７０】
デコード処理部の予約が完了した後、再生可否判断部１８１は、再生要求情報に含まれる入力ソース識別情報により示される入力ソースが、個別再生可能な入力ソースかを判断する（Ｓ２０６）。再生可否判断部１８１は、当該入力ソースが、他の再生系統で利用されており、かつ複数の再生系統からランダムアクセスできない入力ソースである場合は、個別再生可能な入力ソースでないと判断し、他の再生系統で利用されていないか、または、複数の再生系統からランダムアクセスできる入力ソースである場合は、個別再生可能な入力ソースであると判断する。そして、当該入力ソースが個別再生可能な入力ソースでない場合は（Ｓ２０６：ＮＯ）、個別再生は不可であると判断し、ステップＳ２０３およびＳ２０５での予約をキャンセルし（Ｓ２０９）、処理をステップＳ２１０に進める。一方、当該入力ソースが個別再生可能な入力ソースである場合は（Ｓ２０６：ＹＥＳ）、個別再生が可能であると判断し、入力部識別情報により示される入力部に対応する再生系統（すなわち再生指示に係る再生系統）の出力部用の出力制御部を予約する（Ｓ２０７）。なお、複数の再生系統からランダムアクセスできない入力ソースとしては、例えば光学ドライブ１２がある。光学ドライブ１２は、ピックアップを移動させて光ディスクからデータを読み込むが、複数の再生系統から個別再生を行う場合、光ディスク上の異なる領域に記録されたデータを読み込む必要があり、ピックアップのシークが多発することになる。その場合、光学ドライブ１２本来の読み込みの速度やパフォーマンスが著しく低下し、後段のデコード処理部でアンダーフローが発生する恐れや、シーク音により視聴が妨げられる恐れがある。
【００７１】
上記ステップＳ２０７の後、すなわち入力ソース選択部、デコード処理部、および出力制御部の予約が完了した後、再生可否判断部１８１は、コンテンツ識別情報により示されるコンテンツ（すなわち再生指示されたコンテンツ）が制限コンテンツか否かを判断する（Ｓ２５０）。そして、再生回数制限のないコンテンツである場合は（Ｓ２５０：ＮＯ）、再生モードを個別再生モードに遷移させ（Ｓ２０８）、個別再生モードが利用可能であることを示す再生モード情報を再生経路決定部１８２に伝達し、処理をステップＳ２２１に進める。一方、制限コンテンツである場合は（Ｓ２５０：ＹＥＳ）、再生可否判断部１８１は、再生指示されたコンテンツの再生可能回数が１以上であるかを再生回数管理部１８４に問い合わせ、再生回数管理部１８４からの応答に基づいて個別再生が可能かを判断する（Ｓ２５１）。再生可否判断部１８１は、再生回数管理部１８４から再生可能回数が１以上でない旨の応答を受けた場合、個別再生は不可と判断し（Ｓ２５１：ＮＯ）、ステップＳ２０３、Ｓ２０５、およびＳ２０７での予約をキャンセルし（Ｓ２０９）、処理をステップＳ２１０に進める。一方、再生可能回数が１以上である旨の応答を受けた場合、再生可否判断部１８１は、個別再生が可能と判断し（Ｓ２５１：ＹＥＳ）、再生指示されたコンテンツが他の再生系統で再生中のコンテンツであるかを確認する（Ｓ２５２）。そして、当該確認の結果に応じて、ユーザにどの再生モードで再生するかの選択を促す再生確認画面を再生指示された出力部に表示させ、再生確認画面上でのユーザの指示を受け付け、当該指示に基づいて再生モードを決定する（Ｓ２５３）。具体的には、ステップＳ２５２の確認の結果、再生指示されたコンテンツが他の再生系統で再生中のコンテンツでない場合には、図２の再生確認画面を表示させ、個別再生モードおよび再生中止（再生しません）のうちのいずれかの選択をユーザから受け付ける。一方、再生指示されたコンテンツが他の再生系統で再生中のコンテンツである場合には、図３の再生確認画面を表示させ、個別再生モード、同期再生モード、および再生中止（再生しません）のうちのいずれかの選択をユーザから受け付ける。
【００７２】
個別再生モードが選択された場合（Ｓ２５３：個別再生）、再生可否判断部１８１は、再生モードを個別再生モードに遷移させ（Ｓ２０８）、個別再生モードが利用可能であることを示す再生モード情報を再生経路決定部１８２に伝達し、処理をステップＳ２２１に進める。ここでの再生モード情報は、再生回数制限ありを示す情報を含む。
【００７３】
同期再生モードが選択された場合（Ｓ２５３：同期再生）、再生可否判断部１８１は、ステップＳ２０３、Ｓ２０５、およびＳ２０７での予約をキャンセルし（Ｓ２５４）、その後、再生モードを同期再生モードに遷移させ（Ｓ２１１）、同期再生モードが利用可能であることを示す再生モード情報を再生経路決定部１８２に伝達し、処理をステップＳ２３１に進める。
【００７４】
再生中止が選択された場合（Ｓ２５３：再生中止）、再生可否判断部１８１は、ステップＳ２０３、Ｓ２０５、およびＳ２０７での予約をキャンセルし（Ｓ２５５）、再生指示されたコンテンツの再生を行わずに処理を終了する。
【００７５】
ステップＳ２１０では、再生可否判断部１８１は、コンテンツ識別情報により示されるコンテンツ（すなわち再生指示されたコンテンツ）が他の再生系統で再生中のコンテンツか否かを判断する。
【００７６】
そして、再生指示されたコンテンツが再生中のコンテンツである場合（Ｓ２１０：ＹＥＳ）、再生可否判断部１８１は、同期再生が可能であると判断し、再生モードを同期再生モードに遷移させ（Ｓ２１１）、同期再生モードが利用可能であることを示す再生モード情報を再生経路決定部１８２に伝達し、処理をステップＳ２３１に進める。
【００７７】
一方、再生指示されたコンテンツが再生中のコンテンツでない場合には（Ｓ２１０：ＮＯ）、再生可否判断部１８１は、再生不可と判断し、再生モードを再生不可モードに遷移させ（Ｓ２１２）、再生不可であることを再生制御部１８３に通知し、処理をステップＳ２４１に進める。
【００７８】
ステップＳ２２１では、再生経路決定部１８２は、個別再生モードが利用可能であることを示す再生モード情報を受けると、再生指示に係る再生系統の再生経路を決定する。具体的には、再生経路決定部１８２は、再生系統毎の使用資源（または再生経路）を管理するための資源管理情報テーブル（例えば図７を参照）を有しており、上記再生モード情報を受けると、ステップＳ２０３で予約された入力ソース選択部、ステップＳ２０５で予約されたデコード処理部、およびステップＳ２０７で予約された出力制御部を、再生指示に係る再生系統の使用資源として資源管理情報テーブルに登録する。例えば、再生経路決定部１８２は、再生可否判断部１８１から、予約された入力ソース選択部、デコード処理部、および出力制御部を示す情報を再生モード情報とともに受け取り、当該情報を再生指示に係る再生系統の資源管理情報として資源管理情報テーブルに記録する。再生経路の決定後、再生経路決定部１８２は、再生経路決定通知を再生制御部１８３に伝達し、処理をステップＳ２２２へ進める。この場合、再生可否判断部１８１からの再生モード情報に再生回数制限ありを示す情報が含まれていたときには、再生経路決定部１８２は、再生回数制限ありを示す情報を再生経路決定通知に含める。
【００７９】
ステップＳ２２２では、再生制御部１８３は、ステップＳ２２１で決定された再生経路の入力ソース選択部、デコード処理部、および出力制御部を使用して、再生指示に係る出力部での再生指示されたコンテンツの個別再生を行う。ここでは、再生制御部１８３は、再生経路決定部１８２からの再生経路決定通知を受けると、再生経路決定部１８２に対して、再生指示に係る再生系統の資源管理情報を要求する。そして、再生制御部１８３は、取得した資源管理情報に基づき、再生指示に係る再生系統の資源に対して、再生指示されたコンテンツを個別再生するための設定を行う。具体的には、再生制御部１８３は、再生指示に係る再生系統の入力ソース選択部の出力先を当該再生系統のデコード処理部に設定し、当該再生系統のデコード処理部の出力先を当該再生系統の出力制御部に設定する。また、再生制御部１８３は、再生要求情報に含まれる入力ソース識別情報およびコンテンツ識別情報を、当該再生系統の入力ソース選択部に設定する。これらの設定により、当該再生系統の入力ソース選択部は、入力デバイス選択部１０１を介して、入力ソース識別情報により示される入力ソースから、コンテンツ識別情報により示されるコンテンツを取得し、当該再生系統のデコード処理部に出力する。当該デコード処理部は、入力ソース選択部からのコンテンツをデコードし、得られた映像音声信号を当該再生系統の出力制御部に出力する。当該出力制御部は、デコード処理部からの映像信号に、制御装置１６０で生成されたグラフィックデータを変換した映像信号を重畳し、得られた映像信号を再生指示に係る再生系統のモニタに出力する。また、当該出力制御部は、デコード処理部からの音声信号を再生指示に係る再生系統のスピーカに出力する。ユーザ操作に応じた操作音を出力する場合には、出力制御部は、デコード処理部からの音声信号に、操作音（例えばボタン音）を重畳し、得られた音声信号をスピーカに出力する。
【００８０】
ステップＳ２２３では、再生制御部１８３は、再生経路決定部１８２からの再生経路決定通知に再生回数制限ありを示す情報が含まれている場合、すなわち再生回数制限のあるコンテンツが個別再生される場合、コンテンツの再生処理開始の際、再生回数管理部１８４に対して再生回数消費通知を伝達する。再生回数管理部１８４は、再生制御部１８３からの再生回数消費通知を受けると、上記個別再生されたコンテンツの再生可能回数を１カウントダウンし、当該コンテンツの再生権利有無情報を「あり」に更新する。
【００８１】
ステップＳ２３１では、再生経路決定部１８２は、同期再生モードが利用可能であることを示す再生モード情報を受けると、再生指示に係る再生系統の再生経路を決定する。具体的には、再生経路決定部１８２は、上記再生モード情報を受けると、再生指示に係るコンテンツを再生中の他の再生系統で利用されている入力ソース選択部およびデコード処理部と、再生指示に係る再生系統の出力部用の出力制御部とを、再生指示に係る再生系統の使用資源として資源管理情報テーブルに登録する。例えば、再生経路決定部１８２は、再生可否判断部１８１から、再生指示に係るコンテンツを再生中の他の再生系統を示す情報を再生モード情報とともに受け取り、当該情報に基づいて上記の処理を行う。再生経路の決定後、再生経路決定部１８２は、再生経路決定通知を再生制御部１８３に伝達し、処理をステップＳ２３２へ進める。
【００８２】
ステップＳ２３２では、再生制御部１８３は、ステップＳ２３１で決定された再生経路の入力ソース選択部、デコード処理部、および出力制御部を使用して、再生指示に係る出力部での再生指示されたコンテンツの同期再生を行う。ここでは、再生制御部１８３は、再生経路決定部１８２からの再生経路決定通知を受けると、再生経路決定部１８２に対して、再生指示に係る再生系統の資源管理情報を要求する。そして、再生制御部１８３は、取得した資源管理情報に基づき、再生指示に係る再生系統の資源に対して、再生指示されたコンテンツを同期再生するための設定を行う。具体的には、再生制御部１８３は、再生指示に係る再生系統のデコード処理部の出力先に当該再生系統の出力制御部を追加する設定を行う。この設定により、再生指示に係る再生系統のデコード処理部は、デコード後の映像音声信号を、他の再生系統の出力制御部に出力するとともに、再生指示に係る再生系統の出力制御部に出力する。当該出力制御部は、デコード処理部からの映像信号に、制御装置１６０で生成されたグラフィックデータを変換した映像信号を重畳し、得られた映像信号を再生指示に係る再生系統のモニタに出力する。また、当該出力制御部は、デコード処理部からの音声信号を再生指示に係る再生系統のスピーカに出力する。ユーザ操作に応じた操作音を出力する場合には、出力制御部は、デコード処理部からの音声信号に、操作音（例えばボタン音）を重畳し、得られた音声信号をスピーカに出力する。
【００８３】
ステップＳ２４１では、再生制御部１８３は、再生可否判断部１８１からの再生不可を示す通知を受けると、再生不可である旨をユーザに通知する。例えば、再生制御部１８３は、再生指示に係る再生系統の出力制御部を介して、再生できない旨のメッセージやエラー音を再生指示に係る再生系統の出力部に出力させる。上記メッセージは、例えば、ＧＵＩ等のグラフィック画面に表示される。
【００８４】
なお、上記の手順は一例であり、適宜変更されてもよい。例えば、上記の説明では、ステップＳ２５１で再生可能回数に基づく再生可否の判断を行っているが、再生可能回数に基づく再生可否の判断は、ステップＳ２２２で行われてもよいし、ステップＳ２０１の後、ステップＳ２０２の前に行われてもよい。
【００８５】
［再生装置の再生停止時の動作］
図６は、制御装置１６０の再生停止時の動作手順を示すフローチャートである。以下、図６を参照して、制御装置１６０の再生停止時の動作を説明する。
【００８６】
指示受付部１７０は、入力部１５１，１５２，１５３のうちのいずれかの入力部からの再生停止指示を受けると（Ｓ３０１）、当該再生停止指示を受けた入力部を識別する入力部識別情報を含む再生停止要求情報を再生制御部１８３に送る。再生制御部１８３は、再生停止要求情報を受け取ると、当該再生停止要求情報を再生可否判断部１８１に送る。
【００８７】
再生可否判断部１８１は、再生制御部１８３からの再生停止要求情報を受け取ると、入力部識別情報により示される入力部に対応する再生系統（すなわち再生停止指示に係る再生系統）で使用されている入力ソース選択部およびデコード処理部が他の再生系統で使用されているか、すなわち再生停止指示に係る再生系統のモードが同期再生モードであるかを判断する（Ｓ３０２）。
【００８８】
ステップＳ３０２で同期再生モードであると判断された場合（Ｓ３０２：ＹＥＳ）、再生可否判断部１８１は、再生経路切断要求を再生経路決定部１８２に送る（Ｓ３０３）。この再生経路切断要求は、再生停止指示に係る再生系統で利用されているデコード処理部の出力先から当該再生系統で使用されている出力制御部を除外するための要求、すなわちデコード処理部から出力制御部への経路を切断するための要求である。
【００８９】
再生経路決定部１８２は、再生可否判断部１８１からの再生経路切断要求を受け取ると、再生停止指示に係る再生系統で使用されているデコード処理部の出力先から当該再生系統で使用されている出力制御部を除外するために、再生制御部１８３に対して再生経路切断要求を送る。
【００９０】
再生制御部１８３は、再生経路切断要求を受け取ると、再生停止指示に係る再生系統で使用されているデコード処理部の出力先から再生停止指示に係る再生系統で使用されている出力制御部を除外する（Ｓ３０４）。そして、再生制御部１８３は、再生経路決定部１８２に対して再生経路切断応答通知を送り、処理をステップＳ３０７に進める。
【００９１】
一方、ステップＳ３０２で同期再生モードでないと判断された場合（Ｓ３０２：ＮＯ）、再生可否判断部１８１は、再生停止要求を再生経路決定部１８２に送る（Ｓ３０５）。この再生停止要求は、再生停止指示に係る再生系統で使用されている入力ソース選択部およびデコード処理部を停止させ、再生停止指示に係る再生系統の資源管理情報を未使用にするための要求である。
【００９２】
再生経路決定部１８２は、再生可否判断部１８１からの再生停止要求を受け取ると、再生停止指示に係る再生系統で使用されている入力ソース選択部およびデコード処理部を停止させるために、再生制御部１８３に対して再生停止要求を送る。
【００９３】
再生制御部１８３は、再生停止要求を受け取ると、再生停止指示に係る再生系統で使用されている入力ソース選択部およびデコード処理部を停止させる（Ｓ３０６）。このとき、再生制御部１８３は、当該入力ソース選択部およびデコード処理部の各々の出力先の設定を無効化する処理を行ってもよい。上記停止処理後、再生制御部１８３は、再生経路決定部１８２に対して再生停止応答通知を送り、処理をステップＳ３０７に進める。
【００９４】
ステップＳ３０７では、再生経路決定部１８２は、再生経路切断応答通知または再生停止応答通知を受け取ると、資源管理情報テーブルにおいて、再生停止指示に係る再生系統の入力ソース選択部、デコード処理部、および出力制御部を未使用に変更する。
【００９５】
［再生装置の動作の具体例］
以下、第１〜第１１の具体的なケースにおける再生装置１００の動作を説明する。なお、第１〜第１１のケースは順に発生するものとする。
【００９６】
（第１のケース）
まず、いずれの再生系統でも再生が行われていない状態において、第１出力部１４１を利用するユーザ（以下、「第１ユーザ」と称す）が、第１再生系統でメモリデバイス１３に記録された動画ファイルであるコンテンツＣ１の再生指示を行った場合について説明する。コンテンツＣ１は、非制限コンテンツである。
【００９７】
第１ユーザは、第１入力部１５１を介して、第１モニタ１４１ｍに表示されたメモリデバイス１３に記録されたファイルの一覧である再生リストから再生したいコンテンツＣ１を選択し、コンテンツＣ１の再生を再生装置１００に指示する。
【００９８】
再生装置１００において、指示受付部１７０は、上記第１ユーザからの再生指示を第１入力部１５１から受け取ると、第１入力部１５１を示す入力部識別情報と、メモリデバイス１３を示す入力ソース識別情報と、コンテンツＣ１を示すコンテンツ識別情報とを含む再生要求情報を再生制御部１８３に送信する。
【００９９】
再生制御部１８３は、再生要求情報を受け取ると、当該再生要求情報を再生可否判断部１８１に送信する。
【０１００】
再生可否判断部１８１は、再生要求情報を受けると、使用可能な入力ソース選択部があるかを判断する。本ケースでは、再生可否判断部１８１は、使用可能な入力ソース選択部があると判断し、使用可能な入力ソース選択部を第１再生系統の入力ソース選択部として予約する。ここでは、第１入力ソース選択部１１１が予約されたものとする。
【０１０１】
入力ソース選択部の予約完了後、再生可否判断部１８１は、使用可能なデコード処理部があるかを判断する。本ケースでは、再生可否判断部１８１は、使用可能なデコード処理部があると判断し、使用可能なデコード処理部を第１再生系統のデコード処理部として予約する。ここでは、第１デコード処理部１２１が予約されたものとする。
【０１０２】
デコード処理部の予約完了後、再生可否判断部１８１は、入力ソース識別情報により示される入力ソースが、個別再生可能な入力デバイスかを判断する。本ケースでは、メモリデバイス１３は、再生に使用中でなく、また、複数の再生系統からランダムアクセスできるものであるので、再生可否判断部１８１は、メモリデバイス１３は個別再生可能な入力デバイスであると判断し、第１再生系統の出力制御部として第１出力制御部１３１を予約する。
【０１０３】
出力制御部の予約完了後、再生可否判断部１８１は、コンテンツＣ１が再生回数制限のないコンテンツであることから、再生モードを個別再生モードに遷移させ、個別再生モードが利用可能であることを示す再生モード情報を再生経路決定部１８２に伝達する。
【０１０４】
再生経路決定部１８２は、再生可否判断部１８１から伝達された再生モード情報に基づき、上記予約された第１入力ソース選択部１１１、第１デコード処理部１２１、および第１出力制御部１３１を含む経路を、第１再生系統の再生経路として決定する。再生経路決定部１８２は、第１入力ソース選択部１１１、第１デコード処理部１２１、および第１出力制御部１３１を、第１再生系統の資源として資源管理情報テーブルに記録する。図７には、当該記録後の資源管理情報テーブル４００が示されている。資源管理情報テーブル４００には、今回決定された第１再生系統の資源管理情報４０１が反映されており、この資源管理情報４０１では、第１再生系統で使用する入力ソース選択部、デコード処理部、および出力制御部として、第１入力ソース選択部、第１デコード処理部、および第１出力制御部が記録されている。再生経路決定部１８２は、再生制御部１８３に対して再生経路決定通知を伝達する。
【０１０５】
再生制御部１８３は、再生経路決定部１８２からの再生経路決定通知を受けると、再生経路決定部１８２に対して第１再生系統の資源管理情報を要求する。そして、再生制御部１８３は、取得した資源管理情報に基づき、第１入力ソース選択部１１１に対してその出力先を第１デコード処理部１２１とする設定を行い、第１デコード処理部１２１に対してその出力先を第１出力制御部１３１とする設定を行う。次に、再生制御部１８３は、再生要求情報に含まれる入力ソース識別情報およびコンテンツ識別情報を第１入力ソース選択部１１１に対して設定する。
【０１０６】
上記の設定により、第１入力ソース選択部１１１は、入力ソース識別情報およびコンテンツ識別情報に基づき、入力デバイス選択部１０１を経由してメモリデバイス１３に対してコンテンツＣ１の映像音声データの読み込みを要求し、入力デバイス選択部１０１を経由して読み込んだ映像音声データをＤＥＭＵＸ処理し、映像ストリームデータ、音声ストリームデータ、字幕等のその他のストリームデータに分離し、第１デコード処理部１２１に出力する。第１デコード処理部１２１は、上記各種ストリームデータをデコードし、得られた映像音声信号を第１出力制御部１３１に出力する。
【０１０７】
第１出力制御部１３１は、第１デコード処理部１２１からの映像信号に、所定の映像信号を重畳し、得られた映像信号を第１モニタ１４１ｍに出力する。また、第１出力制御部１３１は、第１デコード処理部１２１からの音声信号を第１スピーカ１４１ｓに出力する。操作音を出力する場合には、第１出力制御部１３１は、第１デコード処理部１２１からの音声信号に操作音を重畳し、得られた音声信号を第１スピーカ１４１ｓに出力する。
【０１０８】
（第２のケース）
上記第１のケースの後、第２出力部１４２を利用するユーザ（以下、「第２ユーザ」と称す）が、第２再生系統で光学ドライブ１２に記録された動画ファイルであるコンテンツＣ２の再生指示を行った場合について説明する。コンテンツＣ２は、制限コンテンツであり、その再生可能回数は「１」である。また、コンテンツＣ２は、一度も再生されたことがないコンテンツであり、その再生権利有無情報は「なし」となっている。
【０１０９】
第２ユーザは、第２入力部１５２を介して、第２モニタ１４２ｍに表示された光学ドライブ１２に挿入された図示しない光ディスクに記録されたファイルの一覧である再生リストから再生したいコンテンツＣ２を選択し、コンテンツＣ２の再生を再生装置１００に指示する。
【０１１０】
再生装置１００において、指示受付部１７０は、上記第２ユーザからの再生指示を第２入力部１５２から受け取ると、第２入力部１５２を示す入力部識別情報と、光学ドライブ１２を示す入力ソース識別情報と、コンテンツＣ２を示すコンテンツ識別情報とを含む再生要求情報を再生制御部１８３に送信する。
【０１１１】
再生制御部１８３は、再生要求情報を受け取ると、当該再生要求情報を再生可否判断部１８１に送信する。
【０１１２】
再生可否判断部１８１は、再生要求情報を受け取ると、使用可能な入力ソース選択部があるかを判断する。本ケースでは、再生可否判断部１８１は、使用可能な入力ソース選択部があると判断し、使用可能な入力ソース選択部である第２入力ソース選択部１１２を第２再生系統の入力ソース選択部として予約する。
【０１１３】
入力ソース選択部の予約完了後、再生可否判断部１８１は、使用可能なデコード処理部があるかを判断する。本ケースでは、再生可否判断部１８１は、使用可能なデコード処理部があると判断し、使用可能なデコード処理部である第２デコード処理部１２２を第２再生系統のデコード処理部として予約する。
【０１１４】
デコード処理部の予約完了後、再生可否判断部１８１は、入力ソース識別情報により示される入力ソースが、個別再生可能な入力デバイスかを判断する。本ケースでは、複数の再生系統からランダムアクセスできない光学ドライブ１２が選択されているが、光学ドライブ１２は他の再生系統で使用されていないので、再生可否判断部１８１は、光学ドライブ１２は個別再生可能な入力デバイスであると判断し、第２再生系統の出力制御部として第２出力制御部１３２を予約する。
【０１１５】
出力制御部の予約完了後、再生可否判断部１８１は、コンテンツＣ２が再生回数制限のあるコンテンツであり、コンテンツＣ２の再生可能回数が１以上であり、コンテンツＣ２は他の再生系統で再生中でないと判断する。そして、再生可否判断部１８１は、再生可能回数の消費の可否を確認するために、制御装置１６０に対して再生確認画面（図２）の表示を要求する。制御装置１６０は、再生確認画面（図２）を第２モニタ１４２ｍに表示し、ユーザから再生モードの選択を受け、ユーザがどの再生モードを選択したかを再生可否判断部１８１に伝達する。ここでは、ユーザが個別再生モードを選択したものとする。再生可否判断部１８１は、再生モードを個別再生モードに遷移させ、個別再生モードが利用可能であることを示す再生モード情報を再生経路決定部１８２に伝達する。この再生モード情報は、再生回数制限ありを示す情報を含む。
【０１１６】
再生経路決定部１８２は、再生可否判断部１８１から伝達された再生モード情報に基づき、上記予約された第２入力ソース選択部１１２、第２デコード処理部１２２、および第２出力制御部１３２を含む経路を、第２再生系統の再生経路として決定する。再生経路決定部１８２は、第２入力ソース選択部１１２、第２デコード処理部１２２、および第２出力制御部１３２を、第２再生系統の資源として資源管理情報テーブルに記録する。図８には、当該記録後の資源管理情報テーブル５００が示されている。資源管理情報テーブル５００には、今回決定された第２再生系統の資源管理情報５０１が反映されており、この資源管理情報５０１では、第２再生系統で使用する入力ソース選択部、デコード処理部、および出力制御部として、第２入力ソース選択部、第２デコード処理部、および第２出力制御部が記録されている。再生経路決定部１８２は、再生制御部１８３に対して再生経路決定通知を伝達する。この再生経路決定通知には、再生回数制限ありを示す情報が含まれる。
【０１１７】
再生制御部１８３は、再生経路決定部１８２からの再生経路決定通知を受けると、再生経路決定部１８２に対して第２再生系統の資源管理情報を要求する。そして、再生制御部１８３は、取得した資源管理情報に基づき、第２入力ソース選択部１１２に対してその出力先を第２デコード処理部１２２とする設定を行い、第２デコード処理部１２２に対してその出力先を第２出力制御部１３２とする設定を行う。次に、再生制御部１８３は、再生要求情報に含まれる入力ソース識別情報およびコンテンツ識別情報を第２入力ソース選択部１１２に対して設定する。
【０１１８】
上記の設定により、第２入力ソース選択部１１２は、入力ソース識別情報およびコンテンツ識別情報に基づき、入力デバイス選択部１０１を経由して光学ドライブ１２に対してコンテンツＣ２の映像音声データの読み込みを要求し、入力デバイス選択部１０１を経由して読み込んだ映像音声データをＤＥＭＵＸ処理し、映像ストリームデータ、音声ストリームデータ、字幕等のその他のストリームデータに分離し、第２デコード処理部１２２に出力する。第２デコード処理部１２２は、上記各種ストリームデータをデコードし、得られた映像音声信号を第２出力制御部１３２に出力する。
【０１１９】
第２出力制御部１３２は、第２デコード処理部１２２からの映像信号に所定の映像信号を重畳し、得られた映像信号を第２モニタ１４２ｍに出力する。また、第２出力制御部１３２は、第２デコード処理部１２２からの音声信号を第２スピーカ１４２ｓに出力する。操作音を出力する場合には、第２出力制御部１３２は、第２デコード処理部１２２からの音声信号に操作音を重畳し、得られた音声信号を第２スピーカ１４２ｓに出力する。
【０１２０】
再生制御部１８３は、再生経路決定通知に再生回数制限ありを示す情報が含まれているので、コンテンツＣ２のデコード開始を検知すると、再生回数管理部１８４に対して再生回数消費通知を伝達する。再生回数管理部１８４は、再生回数消費通知を受けると、コンテンツＣ２の再生可能回数を１カウントダウンして「０」にし、コンテンツＣ２の再生権利有無情報を「あり」に更新する。
【０１２１】
（第３のケース）
上記第２のケースの後、第３出力部１４３を利用するユーザ（以下、「第３ユーザ」と称す）が、第３再生系統で光学ドライブ１２に記録された第２ユーザが視聴する動画ファイルと同一の動画ファイルであるコンテンツＣ２の再生指示を行った場合について説明する。コンテンツＣ２は、制限コンテンツであり、その再生可能回数は「０」、その再生権利有無情報は「あり」となっている。
【０１２２】
第３ユーザは、第３入力部１５３を介して、第３モニタ１４３ｍに表示された光学ドライブ１２に挿入された図示しない光ディスクに記録されたファイルの一覧である再生リストからコンテンツＣ２を選択し、コンテンツＣ２の再生を再生装置１００に指示する。
【０１２３】
再生装置１００において、指示受付部１７０は、上記第３ユーザからの再生指示を第３入力部１５３から受け取ると、第３入力部１５３を示す入力部識別情報と、光学ドライブ１２を示す入力ソース識別情報と、コンテンツＣ２を示すコンテンツ識別情報とを含む再生要求情報を再生制御部１８３に送信する。
【０１２４】
再生制御部１８３は、再生要求情報を受け取ると、当該再生要求情報を再生可否判断部１８１に送信する。
【０１２５】
再生可否判断部１８１は、再生要求情報を受け取ると、使用可能な入力ソース選択部があるかを判断する。本ケースでは、再生可否判断部１８１は、使用可能な入力ソース選択部はないと判断し、個別再生は不可であると判断する。そして、再生可否判断部１８１は、再生指示されたコンテンツＣ２が他の再生系統で再生中のコンテンツかを判断する。本ケースでは、再生可否判断部１８１は、コンテンツＣ２は他の再生系統で再生中のコンテンツであると判断し、同期再生が可能であると判断し、再生モードを同期再生モードに遷移させ、同期再生モードが利用可能であることを示す再生モード情報を再生経路決定部１８２に伝達する。
【０１２６】
再生経路決定部１８２は、再生可否判断部１８１から伝達された再生モード情報に基づき、資源管理情報テーブルを参照し、コンテンツＣ２を再生中の第２再生系統で使用されている第２入力ソース選択部１１２および第２デコード処理部１２２と、第３再生系統に対応する第３出力制御部１３３とを含む経路を、第３再生系統の再生経路として決定する。そして、再生経路決定部１８２は、第２入力ソース選択部１１２、第２デコード処理部１２２、および第３出力制御部１３３を、第３再生系統の資源として資源管理情報テーブルに記録する。図９には、当該記録後の資源管理情報テーブル６００が示されている。資源管理情報テーブル６００には、今回決定された第３再生系統の資源管理情報６０１が反映されており、この資源管理情報６０１では、第３再生系統で使用する入力ソース選択部、デコード処理部、および出力制御部として、第２入力ソース選択部、第２デコード処理部、および第３出力制御部が記録されている。再生経路決定部１８２は、再生制御部１８３に対して再生経路決定通知を伝達する。
【０１２７】
再生制御部１８３は、再生経路決定部１８２からの再生経路決定通知を受けると、再生経路決定部１８２に対して第３再生系統の資源管理情報を要求する。そして、再生制御部１８３は、取得した資源管理情報に基づき、第２デコード処理部１２２に対してその出力先に第３出力制御部１３３を追加する設定を行う。
【０１２８】
上記の設定により、第２デコード処理部１２２は、デコードされた映像音声信号を第２出力制御部１３２および第３出力制御部１３３に出力する。
【０１２９】
第３出力制御部１３３は、第２デコード処理部１２２からの映像信号に所定の映像信号を重畳し、得られた映像信号を第３モニタ１４３ｍに出力する。また、第３出力制御部１３３は、第２デコード処理部１２２からの音声信号を第３スピーカ１４３ｓに出力する。操作音を出力する場合には、第３出力制御部１３３は、第２デコード処理部１２２からの音声信号に操作音を重畳し、得られた音声信号を第３スピーカ１４３ｓに出力する。
【０１３０】
上記のように第３再生系統での同期再生が開始される場合、第３再生系統および第２再生系統は、第２入力ソース選択部１１２および第２デコード処理部１２２を共用し、同一の映像音声信号を再生出力することとなり、第２再生系統の再生モードも個別再生モードから同期再生モードに遷移する。
【０１３１】
（第４のケース）
上記第３のケースの後、第２ユーザが第２再生系統でメモリデバイス１３に記録された他の再生系統で再生されていない動画ファイルであるコンテンツＣ３の再生指示を行った場合について説明する。
【０１３２】
第２ユーザは、第２入力部１５２を介して、第２モニタ１４２ｍに表示されたメモリデバイス１３に記録されたファイルの一覧である再生リストからコンテンツＣ３を選択し、コンテンツＣ３の再生を再生装置１００に指示する。
【０１３３】
再生装置１００において、指示受付部１７０は、上記第２ユーザからの再生指示を受け取ると、再生要求情報を再生制御部１８３に送信する。再生制御部１８３は、当該再生要求情報を再生可否判断部１８１に送信する。
【０１３４】
再生可否判断部１８１は、再生要求情報を受け取ると、使用可能な入力ソース選択部があるかを判断する。本ケースでは、再生可否判断部１８１は、使用可能な入力ソース選択部がないと判断し、個別再生は不可であると判断する。そして、再生可否判断部１８１は、再生指示されたコンテンツＣ３が他の再生系統で再生中のコンテンツかを判断する。本ケースでは、再生可否判断部１８１は、コンテンツＣ３は他の再生系統で再生中のコンテンツでないと判断し、再生不可と判断し、再生モードを再生不可モードに遷移させ、再生不可であることを再生制御部１８３に通知する。再生制御部１８３は、第２出力制御部１３２を介して、再生できない旨のメッセージやエラー音を第２出力部１４２に出力させる。
【０１３５】
（第５のケース）
上記第４のケースの後、第２ユーザが第２再生系統での光学ドライブ１２からの再生の停止指示を行った場合について説明する。すなわち、第２再生系統および第３再生系統の２つの再生系統が同一のコンテンツを同期再生している状態において、一方の再生系統に対して再生停止が要求された場合について説明する。
【０１３６】
第２ユーザは、視聴しているコンテンツＣ２の再生を停止するために、第２入力部１５２を介して、再生装置１００に対して再生停止を指示する。
【０１３７】
再生装置１００において、指示受付部１７０は、上記第２ユーザからの再生停止指示を第２入力部１５２から受け取ると、再生停止指示を受けた第２入力部１５２を示す入力部識別情報を含む再生停止要求情報を再生制御部１８３に送信する。
【０１３８】
再生制御部１８３は、上記再生停止要求情報を受け取ると、当該再生停止要求情報を再生可否判断部１８１に送信する。
【０１３９】
再生可否判断部１８１は、再生制御部１８３からの再生停止要求情報を受け取ると、第２再生系統で使用されている第２入力ソース選択部１１２および第２デコード処理部１２２が他の再生系統で使用されているか、すなわち第２再生系統のモードが同期再生モードであるかを判断する。本ケースでは、第２再生系統は第３再生系統との同期再生モードで動作しているので、再生可否判断部１８１は、同期再生モードであると判断し、再生経路切断要求を再生経路決定部１８２に送信する。
【０１４０】
再生経路決定部１８２は、再生可否判断部１８１からの再生経路切断要求を受け取ると、再生制御部１８３に対して再生経路切断要求を送る。
【０１４１】
再生制御部１８３は、再生経路切断要求を受け取ると、第２デコード処理部１２２の出力先が第２出力制御部１３２および第３出力制御部１３３から第３出力制御部１３３のみとなるように、第２デコード処理部１２２の設定を変更する。そして、再生制御部１８３は、再生経路決定部１８２に対して再生経路切断応答通知を送信する。
【０１４２】
再生経路決定部１８２は、再生経路切断応答通知を受け取ると、資源管理情報テーブルにおいて、第２再生系統の入力ソース選択部、デコード処理部、および出力制御部を未使用に変更する。図１０には、当該変更後の資源管理情報テーブル７００が示されている。資源管理情報テーブル７００には、今回変更された第２再生系統の資源管理情報７０１が反映されており、この資源管理情報７０１では、第２再生系統で使用する入力ソース選択部、デコード処理部、および出力制御部が未使用に変更されている。
【０１４３】
上記第２再生系統の再生停止により、第３再生系統のモードは同期再生モードから個別再生モードに切り替わる。このように、複数の再生系統で同一コンテンツが同期再生されている状態において、ある再生系統について再生停止指示があると、当該再生系統のみで再生が停止され、残りの再生系統では再生が継続する。この際、残りの再生系統が１つのみとなる場合には、当該残りの再生系統の再生モードは同期再生モードから個別再生モードに遷移する。
【０１４４】
（第６のケース）
上記第５のケースの後、第１再生系統および第３再生系統の再生が停止され、いずれの再生系統でも再生が行われていない状態となった後に、第２出力部１４２を利用するユーザ（第２ユーザ）が、第２再生系統でメモリデバイス１３に記録された動画ファイルであるコンテンツＣ４の再生指示を行った場合について説明する。コンテンツＣ４は、制限コンテンツであり、その再生可能回数は「２」である。また、コンテンツＣ４は、一度も再生されたことがないコンテンツであり、その再生権利有無情報は「なし」となっている。
【０１４５】
第２ユーザは、第２入力部１５２を介して、コンテンツＣ４の再生を再生装置１００に指示する。
【０１４６】
上記第２ユーザからの再生指示に応じて、再生可否判断部１８１は、第２入力ソース選択部１１２を第２再生系統の入力ソース選択部として予約し、第２デコード処理部１２２を第２再生系統のデコード処理部として予約し、第２出力制御部１３２を第２再生系統の出力制御部として予約する。
【０１４７】
出力制御部の予約完了後、再生可否判断部１８１は、コンテンツＣ４が制限コンテンツであり、コンテンツＣ４の再生可能回数が１以上であり、コンテンツＣ４は他の再生系統で再生中でないと判断する。そして、再生可否判断部１８１は、再生制御部１８３に対して再生確認画面（図２）の表示を要求する。再生制御部１８３は、再生確認画面（図２）を第２モニタ１４２ｍに表示し、ユーザから再生モードの選択を受け、ユーザがどの再生モードを選択したかを再生可否判断部１８１に伝達する。ここでは、ユーザは個別再生モードを選択し、再生可否判断部１８１は、再生モードを個別再生モードに遷移させ、個別再生モードが利用可能であることを示す再生モード情報を再生経路決定部１８２に伝達する。この再生モード情報は、再生回数制限ありを示す情報を含む。
【０１４８】
再生経路決定部１８２は、再生可否判断部１８１から伝達された再生モード情報に基づき、上記予約された第２入力ソース選択部１１２、第２デコード処理部１２２、および第２出力制御部１３２を含む経路を、第２再生系統の再生経路として決定する。そして、再生経路決定部１８２は、再生制御部１８３に対して再生経路決定通知を伝達する。この再生経路決定通知には、再生回数制限ありを示す情報が含まれる。
【０１４９】
再生制御部１８３は、再生経路決定部１８２からの再生経路決定通知を受けると、第２入力ソース選択部１１２に対してその出力先を第２デコード処理部１２２とする設定を行い、第２デコード処理部１２２に対してその出力先を第２出力制御部１３２とする設定を行う。次に、再生制御部１８３は、メモリデバイス１３の識別情報およびコンテンツＣ４の識別情報を第２入力ソース選択部１１２に対して設定する。
【０１５０】
上記の設定により、第２入力ソース選択部１１２は、入力デバイス選択部１０１を経由してメモリデバイス１３に対してコンテンツＣ４の映像音声データの読み込みを要求し、入力デバイス選択部１０１を経由して読み込んだ映像音声データをＤＥＭＵＸ処理し、映像ストリームデータ、音声ストリームデータ、字幕等のその他のストリームデータに分離し、第２デコード処理部１２２に出力する。第２デコード処理部１２２は、上記各種ストリームデータをデコードし、得られた映像音声信号を第２出力制御部１３２に出力する。
【０１５１】
第２出力制御部１３２は、第２デコード処理部１２２からの映像信号および音声信号をそれぞれ第２モニタ１４２ｍおよび第２スピーカ１４２ｓに出力する。
【０１５２】
再生制御部１８３は、再生経路決定通知に再生回数制限ありを示す情報が含まれているので、コンテンツＣ４のデコード開始を検知すると、再生回数管理部１８４に対して再生回数消費通知を伝達する。再生回数管理部１８４は、再生回数消費通知を受けると、コンテンツＣ４の再生可能回数を１カウントダウンして「１」とし、コンテンツＣ４の再生権利有無情報を「あり」に更新する。
【０１５３】
（第７のケース）
上記第６のケースの後、第３出力部１４３を利用するユーザ（第３ユーザ）が、第３再生系統でメモリデバイス１３に記録された第２ユーザが視聴する動画ファイルと同一の動画ファイルであるコンテンツＣ４の再生指示を行った場合について説明する。コンテンツＣ４は、制限コンテンツであり、その再生可能回数は「１」、その再生権利有無情報は「あり」となっている。
【０１５４】
第３ユーザは、第３入力部１５３を介して、コンテンツＣ４の再生を再生装置１００に指示する。この第３ユーザからの再生指示に応じて、再生可否判断部１８１は、第１入力ソース選択部１１１、第１デコード処理部１２１、および第３出力制御部１３３を予約する。
【０１５５】
出力制御部の予約完了後、再生可否判断部１８１は、コンテンツＣ４が制限コンテンツであり、コンテンツＣ４の再生可能回数が１以上であり、コンテンツＣ４は他の再生系統で再生中であると判断する。そして、再生可否判断部１８１は、再生制御部１８３に対して再生確認画面（図３）の表示を要求する。再生制御部１８３は、再生確認画面（図３）を第３モニタ１４３ｍに表示し、ユーザから再生モードの選択を受け、ユーザがどの再生モードを選択したかを再生可否判断部１８１に伝達する。ここでは、ユーザは個別再生モードを選択し、再生可否判断部１８１は、再生モードを個別再生モードに遷移させ、個別再生モードが利用可能であることを示す再生モード情報を再生経路決定部１８２に伝達する。この再生モード情報は、再生回数制限ありを示す情報を含む。
【０１５６】
再生経路決定部１８２は、再生可否判断部１８１からの再生モード情報に基づき、上記予約された第１入力ソース選択部１１１、第１デコード処理部１２１、および第３出力制御部１３３を含む経路を、第３再生系統の再生経路として決定する。そして、再生経路決定部１８２は、再生制御部１８３に対して再生経路決定通知を伝達する。この再生経路決定通知には、再生回数制限ありを示す情報が含まれる。
【０１５７】
再生制御部１８３は、再生経路決定部１８２からの再生経路決定通知を受けると、第１入力ソース選択部１１１に対してその出力先を第１デコード処理部１２１とする設定を行い、第１デコード処理部１２１に対してその出力先を第３出力制御部１３３とする設定を行う。次に、再生制御部１８３は、メモリデバイス１３の識別情報およびコンテンツＣ４の識別情報を第１入力ソース選択部１１１に対して設定する。
【０１５８】
上記の設定により、第１入力ソース選択部１１１は、入力デバイス選択部１０１を経由してメモリデバイス１３に対してコンテンツＣ４の映像音声データの読み込みを要求し、入力デバイス選択部１０１を経由して読み込んだ映像音声データをＤＥＭＵＸ処理し、映像ストリームデータ、音声ストリームデータ、字幕等のその他のストリームデータに分離し、第１デコード処理部１２１に出力する。第１デコード処理部１２１は、上記各種ストリームデータをデコードし、得られた映像音声信号を第３出力制御部１３３に出力する。
【０１５９】
第３出力制御部１３３は、第１デコード処理部１２１からの映像信号および音声信号をそれぞれ第３モニタ１４３ｍおよび第３スピーカ１４３ｓに出力する。再生制御部１８３は、再生経路決定通知に再生回数制限ありを示す情報が含まれているので、コンテンツＣ４のデコード開始を検知すると、再生回数管理部１８４に対して再生回数消費通知を伝達する。再生回数管理部１８４は、再生回数消費通知を受けると、コンテンツＣ４の再生可能回数を１カウントダウンして「０」とする。
【０１６０】
上記第３再生系統でのコンテンツＣ４の個別再生では、第２再生系統におけるコンテンツＣ４の再生位置に関わらず、コンテンツＣ４の先頭から再生が行われる。
【０１６１】
（第８のケース）
上記第７のケースの後、第２ユーザが第２再生系統でのメモリデバイス１３からの再生の停止指示を行った場合について説明する。すなわち、第２再生系統および第３再生系統の２つの再生系統が同一のコンテンツを個別再生している状態において、一方の再生系統に対して再生停止が要求された場合について説明する。
【０１６２】
第２ユーザは、視聴しているコンテンツＣ４の再生を停止するために、第２入力部１５２を介して、再生装置１００に対して再生停止を指示する。
【０１６３】
再生装置１００において、指示受付部１７０は、上記第２ユーザからの再生停止指示を第２入力部１５２から受け取ると、再生停止指示を受けた第２入力部１５２を示す入力部識別情報を含む再生停止要求情報を再生制御部１８３に送信する。再生制御部１８３は、上記再生停止要求情報を受け取ると、当該再生停止要求情報を再生可否判断部１８１に送信する。再生可否判断部１８１は、再生制御部１８３からの再生停止要求情報を受け取ると、第２再生系統のモードが同期再生モードであるかを判断する。本ケースでは、再生可否判断部１８１は、個別再生モードであると判断し、再生停止要求を再生経路決定部１８２に送信する。
【０１６４】
再生経路決定部１８２は、再生可否判断部１８１からの再生停止要求を受け取ると、再生制御部１８３に対して再生停止要求を送る。再生制御部１８３は、再生停止要求を受け取ると、第２再生系統で使用されている第２入力ソース選択部１１２および第２デコード処理部１２２を停止させる。そして、再生制御部１８３は、再生経路決定部１８２に対して再生停止応答通知を送信する。再生経路決定部１８２は、再生停止応答通知を受け取ると、資源管理情報テーブルにおいて、第２再生系統の入力ソース選択部、デコード処理部、および出力制御部を未使用に変更する。
【０１６５】
（第９のケース）
上記第８のケースの後、第３再生系統の再生が停止され、いずれの再生系統でも再生が行われていない状態となった後に、第２出力部１４２を利用するユーザ（第２ユーザ）が、第２再生系統でメモリデバイス１３に記録された動画ファイルであるコンテンツＣ５の再生指示を行った場合について説明する。コンテンツＣ５は、制限コンテンツであり、その再生可能回数は「２」である。また、コンテンツＣ５は、一度も再生されたことがないコンテンツであり、その再生権利有無情報は「なし」となっている。
【０１６６】
第９のケースでは、制御装置１６０は、上記第６のケースと同様に、第２入力ソース選択部１１２、第２デコード処理部１２２、および第２出力制御部１３２を用いてコンテンツＣ５の個別再生を行い、コンテンツＣ５のデコード開始時に、コンテンツＣ５の再生可能回数を１カウントダウンして「１」とし、コンテンツＣ５の再生権利有無情報を「あり」に更新する。
【０１６７】
（第１０のケース）
上記第９のケースの後、第３出力部１４３を利用するユーザ（第３ユーザ）が、第３再生系統でコンテンツＣ５の再生指示を行った場合について説明する。コンテンツＣ５は、制限コンテンツであり、その再生可能回数は「１」、その再生権利有無情報は「あり」になっている。
【０１６８】
第３ユーザからのコンテンツＣ５の再生指示に応じて、再生可否判断部１８１は、第１入力ソース選択部１１１、第１デコード処理部１２１、および第３出力制御部１３３を予約する。
【０１６９】
上記予約完了後、再生可否判断部１８１は、コンテンツＣ５が制限コンテンツであり、コンテンツＣ５の再生可能回数が１以上であり、コンテンツＣ５は他の再生系統で再生中であると判断する。そして、再生可否判断部１８１は、再生制御部１８３に対して再生確認画面（図３）の表示を要求する。再生制御部１８３は、再生確認画面（図３）を第３モニタ１４３ｍに表示する。ここでは、ユーザは同期再生モードを選択し、再生可否判断部１８１は、上記予約をキャンセルし、再生モードを同期再生モードに遷移させ、同期再生モードが利用可能であることを示す再生モード情報を再生経路決定部１８２に伝達する。
【０１７０】
再生経路決定部１８２は、再生可否判断部１８１からの再生モード情報に基づき、コンテンツＣ５を再生中の第２再生系統で使用されている第２入力ソース選択部１１２および第２デコード処理部１２２と、第３再生系統に対応する第３出力制御部１３３とを含む経路を、第３再生系統の再生経路として決定する。そして、再生経路決定部１８２は、再生制御部１８３に対して再生経路決定通知を伝達する。
【０１７１】
再生制御部１８３は、再生経路決定部１８２からの再生経路決定通知を受けると、第２デコード処理部１２２に対してその出力先に第３出力制御部１３３を追加する設定を行う。当該設定により、第２デコード処理部１２２は、デコードされた映像音声信号を第２出力制御部１３２および第３出力制御部１３３に出力する。第３出力制御部１３３は、第２デコード処理部１２２からの映像信号および音声信号をそれぞれ第３モニタ１４３ｍおよび第３スピーカ１４３ｓに出力する。
【０１７２】
上記のように第３再生系統での同期再生が開始される場合、第３再生系統および第２再生系統は、第２入力ソース選択部１１２および第２デコード処理部１２２を共用し、同一の映像音声信号を再生出力することとなり、第２再生系統の再生モードも個別再生モードから同期再生モードに遷移する。
【０１７３】
（第１１のケース）
上記第１０のケースの後、第３ユーザが第３再生系統でのコンテンツＣ５の特殊再生指示を行った場合について説明する。すなわち、第２再生系統および第３再生系統の２つの再生系統が同一のコンテンツを同期再生している状態において、一方の再生系統に対して特殊再生が要求された場合について説明する。コンテンツＣ５は、制限コンテンツであり、その再生可能回数は「１」、その再生権利有無情報は「あり」となっている。
【０１７４】
制御装置１６０は、第３ユーザからの第３再生系統での特殊再生指示を受けると、第３再生系統のモードが同期再生モードであるかを判断する。本ケースでは、制御装置１６０は、同期再生モードであると判断し、第３再生系統でのコンテンツＣ５の個別再生が可能かを判断する。本ケースでは、第１入力ソース選択部１１１および第１デコード処理部１２１が個別再生に使用可能であり、コンテンツＣ５の再生可能回数が１以上であることから、制御装置１６０は、個別再生が可能であると判断する。そして、制御装置１６０は、再生確認画面（図４）を第３モニタ１４３ｍに表示し、ユーザから再生モードの選択を受ける。ここでは、ユーザは個別再生モードを選択し、制御装置１６０は、第３再生系統の再生モードを個別再生モードに遷移させる。
【０１７５】
次に、制御装置１６０は、第１入力ソース選択部１１１、第１デコード処理部１２１、および第３出力制御部１３３を含む経路を、第３再生系統の再生経路として決定し、資源管理情報テーブルを更新する。また、制御装置１６０は、同期再生モードで再生中のコンテンツＣ５の再生位置を示すレジューム情報を保存する。そして、制御装置１６０は、第１入力ソース選択部１１１、第１デコード処理部１２１、および第３出力制御部１３３を用いて、上記レジューム情報により示される再生位置から、個別再生モードでコンテンツＣ５の特殊再生を行う。制御装置１６０は、コンテンツＣ５の個別再生を開始する際に、コンテンツＣ５の再生可能回数を１カウントダウンして「０」に更新する。
【０１７６】
一方、第２再生系統では、上記第３再生系統の再生モードの切り替わりにあわせて、同期再生モードから個別再生モードに切り替わり、個別再生モードでコンテンツＣ５の再生が継続される。このとき、第２再生系統では、特殊再生指示による再生状態の遷移は発生しない。
【０１７７】
なお、再生確認画面（図４）において、ユーザが同期再生モードを選択した場合には、制御装置１６０は、第２再生系統および第３再生系統において、同期再生モードでコンテンツＣ５の特殊再生を実行することになる。
【０１７８】
図１１は、上記第１〜第５のケースにおける各再生系統の再生状態の遷移を示すタイミングチャートである。図１１において、最初の区間Ａでは、第１再生系統、第２再生系統、および第３再生系統のすべてが再生停止状態である。次の区間Ｂでは、第１再生系統は第１ユーザからの再生指示に応じてメモリデバイス１３からコンテンツＣ１を通常再生している個別再生状態であり、第２再生系統および第３再生系統は再生停止状態である。区間Ｂの状態は、図７の資源管理情報テーブル４００に対応する。次の区間Ｃでは、第１再生系統はメモリデバイス１３からコンテンツＣ１を通常再生している個別再生状態であり、第２再生系統は第２ユーザからの再生指示に応じて光学ドライブ１２からコンテンツＣ２を通常再生している個別再生状態であり、第３再生系統は再生停止状態である。区間Ｃの状態は、図８の資源管理情報テーブル５００に対応する。区間Ｃの状態において、第３ユーザから再生装置１００に対して光学ドライブ１２のコンテンツＣ２の再生指示があると、再生装置１００は、第３再生系統でのコンテンツＣ２の同期再生を開始させ、その後、同期再生開始通知８０１を第２再生系統に通知し、第２再生系統を同期再生モードに遷移させる。したがって、区間Ｃの次の区間Ｄでは、第１再生系統はメモリデバイス１３からコンテンツＣ１を通常再生している個別再生状態であり、第２再生系統および第３再生系統は光学ドライブ１２からコンテンツＣ２を通常再生している同期再生状態である。区間Ｄの状態は、図９の資源管理情報テーブル６００に対応する。区間Ｄの状態において、第２ユーザから再生装置１００に対して再生停止指示があると、再生装置１００は、第２再生系統の再生停止処理を行い、その後、同期再生終了通知８０２を第３再生系統に通知し、第３再生系統を個別再生モードに遷移させる。したがって、区間Ｄの次の区間Ｅでは、第１再生系統はメモリデバイス１３からコンテンツＣ１を通常再生している個別再生状態であり、第２再生系統は再生停止状態であり、第３再生系統は光学ドライブ１２からコンテンツＣ２を通常再生している個別再生状態である。区間Ｅの状態は、図１０の資源管理情報テーブル７００に対応する。
【０１７９】
図１２は、上記第１〜第５のケースにおける各再生系統の再生画面の遷移を示す図である。図１２に記載の区間Ａ〜Ｅは、図１１に記載の区間Ａ〜Ｅに対応する。図１２において、区間Ａでは、第１再生系統、第２再生系統、および第３再生系統のすべてにおいて再生停止画面が表示されている。区間Ｂでは、第１再生系統においてコンテンツＣ１の再生画面が表示され、第２再生系統および第３再生系統において再生停止画面が表示されている。区間Ｃでは、第１再生系統においてコンテンツＣ１の再生画面が表示され、第２再生系統においてコンテンツＣ２の表示画面が表示され、第３再生系統において再生停止画面が表示されている。区間Ｄでは、第１再生系統においてコンテンツＣ１の再生画面が表示され、第２再生系統および第３再生系統においてコンテンツＣ２の再生画面が表示されている。当該区間Ｄにおける第２再生系統および第３再生系統の再生画面には、それぞれ、同期再生中であることを示すメッセージ９０１および９０２が表示されている。区間Ｅでは、第１再生系統においてコンテンツＣ１の再生画面が表示され、第２再生系統において再生停止画面が表示され、第３再生系統においてコンテンツＣ２の再生画面が表示されている。上記メッセージ９０１および９０２の表示は、制御装置１６０により制御される。制御装置１６０は、第３再生系統で同期再生が開始されたときにメッセージ９０２の表示を開始させ、第３再生系統が個別再生モードに遷移したときにメッセージ９０２の表示を終了させる。また、制御装置１６０は、第２再生系統が同期再生モードに遷移したときにメッセージ９０１の表示を開始させ、第２再生系統の再生が停止したときにメッセージ９０１の表示を終了させる。
【０１８０】
図１３は、上記第６〜第８のケースにおける各再生系統の再生状態の遷移を示すタイミングチャートである。図１３において、最初の区間Ｆでは、第１再生系統、第２再生系統、および第３再生系統のすべてが再生停止状態である。次の区間Ｇでは、第２再生系統は第２ユーザからの再生指示に応じてメモリデバイス１３からコンテンツＣ４を通常再生している個別再生状態であり、第１再生系統および第３再生系統は再生停止状態である。区間Ｇの状態において、第３ユーザから再生装置１００に対してメモリデバイス１３のコンテンツＣ４の再生指示があると、再生装置１００は、再生確認画面（図３）を表示し、第３ユーザから個別再生モードの選択指示を受けると、第３再生系統でのコンテンツＣ４の個別再生を開始させる。したがって、区間Ｇの次の区間Ｈでは、第１再生系統は再生停止状態であり、第２再生系統および第３再生系統は、それぞれメモリデバイス１３からコンテンツＣ４を通常再生している個別再生状態である。区間Ｈの状態において、第２ユーザから再生装置１００に対して再生停止指示があると、再生装置１００は、第２再生系統の再生停止処理を行う。したがって、区間Ｈの次の区間Ｉでは、第１再生系統および第２再生系統は再生停止状態であり、第３再生系統はメモリデバイス１３からコンテンツＣ４を通常再生している個別再生状態である。
【０１８１】
図１４は、上記第６〜第８のケースにおける各再生系統の再生画面の遷移を示す図である。図１４に記載の区間Ｆ〜Ｉは、図１３に記載の区間Ｆ〜Ｉに対応する。図１４において、区間Ｆでは、第１再生系統、第２再生系統、および第３再生系統のすべてにおいて再生停止画面が表示されている。区間Ｇでは、第２再生系統においてコンテンツＣ４の再生画面が表示され、第１再生系統および第３再生系統において再生停止画面が表示されている。区間Ｈでは、第１再生系統において再生停止画面が表示され、第２再生系統および第３再生系統においてコンテンツＣ４の再生画面が表示されている。当該区間Ｈにおける第２再生系統および第３再生系統の再生画面には、同期再生中であることを示すメッセージは表示されない。区間Ｉでは、第１再生系統および第２再生系統において再生停止画面が表示され、第３再生系統においてコンテンツＣ４の再生画面が表示されている。
【０１８２】
図１５は、上記第９〜第１１のケースにおける各再生系統の再生状態の遷移を示すタイミングチャートである。図１５において、最初の区間Ｊでは、第１再生系統、第２再生系統、および第３再生系統のすべてが再生停止状態である。次の区間Ｋでは、第２再生系統は第２ユーザからの再生指示に応じてメモリデバイス１３からコンテンツＣ５を通常再生している個別再生状態であり、第１再生系統および第３再生系統は再生停止状態である。区間Ｋの状態において、第３ユーザから再生装置１００に対してメモリデバイス１３のコンテンツＣ５の再生指示があると、再生装置１００は、再生確認画面（図３）を表示し、第３ユーザからの同期再生モードの選択指示を受けると、第３再生系統でのコンテンツＣ５の同期再生を開始させ、その後、同期再生開始通知１５０１を第２再生系統に通知し、第２再生系統を同期再生モードに遷移させる。したがって、区間Ｋの次の区間Ｌでは、第１再生系統は再生停止状態であり、第２再生系統および第３再生系統は、メモリデバイス１３からコンテンツＣ５を通常再生している同期再生状態である。区間Ｌの状態において、第３ユーザから再生装置１００に対して特殊再生指示があると、再生装置１００は、再生確認画面（図４）を表示し、第３ユーザからの個別再生モードの選択指示を受けると、第３再生系統でのコンテンツＣ５の個別再生モードでの特殊再生を開始させ、その後、同期再生終了通知１５０２を第２再生系統に通知し、第２再生系統を個別再生モードに遷移させる。したがって、区間Ｌの次の区間Ｍでは、第１再生系統は再生停止状態であり、第２再生系統はメモリデバイス１３からコンテンツＣ５を通常再生している個別再生状態であり、第３再生系統はメモリデバイス１３からコンテンツＣ５を特殊再生している個別再生状態である。
【０１８３】
図１６は、上記第９〜第１１のケースにおける各再生系統の再生画面の遷移を示す図である。図１６に記載の区間Ｊ〜Ｍは、図１５に記載の区間Ｊ〜Ｍに対応する。図１６において、区間Ｊでは、第１再生系統、第２再生系統、および第３再生系統のすべてにおいて再生停止画面が表示されている。区間Ｋでは、第２再生系統においてコンテンツＣ５の再生画面が表示され、第１再生系統および第３再生系統において再生停止画面が表示されている。区間Ｌでは、第１再生系統において再生停止画面が表示され、第２再生系統および第３再生系統においてコンテンツＣ５の再生画面が表示されている。当該区間Ｌにおける第２再生系統および第３再生系統の再生画面には、それぞれ、同期再生中であることを示すメッセージ１６０１および１６０２が表示されている。区間Ｍでは、第１再生系統において再生停止画面が表示され、第２再生系統においてコンテンツＣ５の通常再生の再生画面が表示され、第３再生系統においてコンテンツＣ５の特殊再生の再生画面が表示されている。上記メッセージ１６０１および１６０２の表示は、制御装置１６０により制御される。制御装置１６０は、第３再生系統で同期再生が開始されたときにメッセージ１６０２の表示を開始させ、第３再生系統が個別再生モードに遷移したときにメッセージ１６０２の表示を終了させる。また、制御装置１６０は、第２再生系統が同期再生モードに遷移したときにメッセージ１６０１の表示を開始させ、第２再生系統が個別再生モードに遷移したときにメッセージ１６０１の表示を終了させる。
【０１８４】
以上説明した本実施の形態によれば、下記の効果が得られ得る。
（１）本実施の形態では、コンテンツに対してデコード処理を行う複数のデコード処理部と、デコード処理後のコンテンツを再生出力する複数の出力制御部とを有する再生装置において、制御装置は、制限コンテンツを再生する場合、個別再生を行うときには当該コンテンツの再生可能回数の減算を行い、同期再生を行うときには当該コンテンツの再生可能回数の減算を行わない。このため、本実施の形態によれば、再生モード（個別再生または同期再生）に応じて制限コンテンツの再生可能回数を適切に管理することができる。具体的には、個別再生時に再生可能回数が減算され、さらに同期再生時に再生可能回数が減算されるという、再生可能回数が多重で消費されることを防ぐことができる。これにより、再生可能回数の不適切な消費を抑制し、ユーザの利便性を高めることができる。
【０１８５】
（２）制御装置は、少なくとも２つの出力制御部で制限コンテンツの同期再生が行われている際に、上記少なくとも２つの出力制御部のうちいずれかの出力制御部に対する再生停止指示を受けた場合、再生停止指示された出力制御部でのコンテンツの再生を停止し、他の出力制御部でのコンテンツの再生を継続する。このため、他の出力制御部（または再生系統）のユーザの意図しない再生停止を防ぐことができる。
【０１８６】
（３）制御装置は、少なくとも２つの出力制御部で制限コンテンツの同期再生が行われている際に、上記少なくとも２つの出力制御部のうちいずれかの出力制御部に対する再生停止指示を受けた場合、当該コンテンツの再生権利有無情報を更新しない。このため、上記少なくとも２つの出力制御部のうち再生停止指示された出力制御部以外の他の出力制御部（または再生系統）のユーザの意図しない再生権利の失効を防ぐことができる。
【０１８７】
（４）制御装置は、制限コンテンツの個別再生が可能であると判断した場合、個別再生を行うと当該コンテンツの再生可能回数が減算される旨を提示し、個別再生を行うか否かの選択をユーザから受け付け、個別再生を行うことが選択されたときに個別再生を実行する。本構成によれば、個別再生により再生可能回数が消費されることをユーザに知らせた上で、個別再生を行うか否かをユーザに選択させることができ、ユーザの利便性を高めることができる。
【０１８８】
（５）制御装置は、制限コンテンツの個別再生および同期再生が可能であると判断した場合、個別再生を行うと当該コンテンツの再生可能回数が減算され、同期再生を行うと当該コンテンツの再生可能回数が減算されない旨を提示し、上記２つの再生のうちいずれを行うかの選択をユーザから受け付け、ユーザにより選択された再生を行う。本構成によれば、再生可能回数が個別再生では消費され、同期再生では消費されないことをユーザに知らせた上で、個別再生および同期再生のどちらを行うかをユーザに選択させることができ、ユーザの利便性を高めることができる。
【０１８９】
（６）制御装置は、少なくとも２つの出力制御部でのコンテンツの同期再生が行われている際に、上記少なくとも２つの出力制御部のうちいずれかの出力制御部に対する特殊再生指示を受けた場合、当該コンテンツを上記同期再生に使用されているデコード処理部と異なるデコード処理部を用いてデコードして特殊再生指示を受けた出力制御部で特殊再生し、上記少なくとも２つの出力制御部のうち特殊再生指示を受けていない他の出力制御部での当該コンテンツの再生を継続する。例えば、制御装置は、少なくとも２つの出力制御部での制限コンテンツの同期再生が行われている際に、上記少なくとも２つの出力制御部のうちいずれかの出力制御部に対する特殊再生指示を受けた場合、上記少なくとも２つの出力制御部のうち特殊再生指示された出力制御部以外の他の出力制御部と異なるデコード処理部を用いた、特殊再生指示された出力制御部でのコンテンツの再生（個別再生）が可能であると判断したとき、特殊再生指示された出力制御部での他の出力制御部と異なるデコード処理部を用いたコンテンツの特殊再生を行い、他の出力制御部でのコンテンツの再生を継続する。本構成によれば、他の出力制御部（または再生系統）におけるユーザの意図しない再生状態の変化を防ぐことができる。これにより、例えば、他の再生系統のユーザの視聴を妨げることなく、特殊再生指示された再生系統での特殊再生を実行することができる。
【０１９０】
（７）制御装置は、上記（６）において、他の出力制御部と異なるデコード処理部を用いた、特殊再生指示された出力制御部でのコンテンツの再生（個別再生）が可能であると判断したとき、他の出力制御部と異なるデコード処理部を用いた再生（個別再生）を行うとコンテンツの再生可能回数が減算され、他の出力制御部と同一のデコード処理部を用いた再生（同期再生）を行うとコンテンツの再生可能回数が減算されない旨を提示し、上記２つの再生のうちいずれを行うかの選択をユーザから受け付け、ユーザにより選択された再生を行う。本構成によれば、再生可能回数が個別再生では消費され、同期再生では消費されないことをユーザに知らせた上で、個別再生および同期再生のどちらを行うかをユーザに選択させることができ、ユーザの利便性を高めることができる。
【０１９１】
（８）制御装置は、上記（６）において、コンテンツを特殊再生するとコンテンツの再生可能回数が減算され、同期再生を継続するとコンテンツの再生可能回数が減算されない旨を提示し、特殊再生および同期再生のうちいずれを行うかの選択をユーザから受け付け、特殊再生が選択されたときに上記特殊再生を行い、同期再生が選択されたときには上記特殊再生を行わずに上記少なくとも２つの出力制御部での同期再生を継続してもよい。本構成によれば、再生可能回数が特殊再生では消費され、同期再生では消費されないことをユーザに知らせた上で、特殊再生および同期再生のどちらを行うかをユーザに選択させることができ、ユーザの利便性を高めることができる。
【０１９２】
なお、上記実施の形態における再生装置は、下記のように構成されてもよい。
（ａ）上記の説明では、２つの入力ソース選択部と、２つのデコード処理部と、３つの出力制御部とを有する構成を例示したが、入力ソース選択部、デコード処理部、および出力制御部の各々の数は、これに限られない。入力ソース選択部の数は、１つであってもよいし、３つ以上であってもよい。デコード処理部の数は、３つ以上であってもよい。出力制御部の数は、２つであってもよいし、４つ以上であってもよい。
【０１９３】
（ｂ）制御部１８０は、複数の出力制御部のいずれかの出力制御部にコンテンツのリストを出力させる際、当該リストに含まれる１以上のコンテンツの各々について、コンテンツの再生回数制限を考慮せずに複数のデコード処理部の使用状況に基づき、当該コンテンツを再生対象のコンテンツとした場合に、リストを出力する出力制御部以外の他の出力制御部での再生に使用中でないデコード処理部を用いた、リストを出力する出力制御部での当該コンテンツの再生（または個別再生）が可能か否かを判断し、リストを出力する出力制御部以外の他の出力制御部での当該コンテンツの再生に使用中であるデコード処理部を用いた、リストを出力する出力制御部での当該コンテンツの再生（または同期再生）が可能か否かを判断し、これらの判断結果を、リストを出力する出力制御部に出力させる。さらに、リストに含まれる１以上のコンテンツのうち制限コンテンツの各々については、当該コンテンツの再生回数制限による当該コンテンツの再生可否を示す情報を、リストを出力する出力制御部に出力させてもよい。上記再生回数制限によるコンテンツの再生可否を示す情報としては、再生可能回数や、再生権利有無情報、再生可能回数が１以上であるか否かの判断結果などがある。
【０１９４】
例えば、制御部１８０は、ある出力部に再生リストを表示させる際に、当該再生リストに載せられる各コンテンツについて、再生回数制限を考慮せずに個別再生が可能かを判断し、同期再生が可能かを判断し、これらの判断結果を当該出力部に表示させる。図１７には、再生リストの表示例が示されている。図１７では、コンテンツＣ１１〜Ｃ１６の各々について、再生回数制限を考慮しない場合における個別再生の可否および同期再生の可否が表示されている。丸印は再生可能であることを示し、バツ印は再生不可であることを示す。制限コンテンツについては、再生可能回数情報や再生権利有無情報を付加して表示してもよい。図１７の例では、再生可能回数情報が付加されている。
【０１９５】
本形態によれば、ユーザは、リストの各コンテンツについて、再生回数制限を考慮しない場合に個別再生が可能か、同期再生が可能か、再生回数制限による再生可否などを事前に知ることができる。これにより、ユーザは再生可能なコンテンツを容易に見つけることができ、ユーザの利便性を高めることができる。
【０１９６】
（ｃ）制御部１８０は、コンテンツの再生指示が受け付けられた場合に、個別再生が可能であっても、再生指示された出力部以外の他の出力部で当該コンテンツの再生が行われているときには、当該コンテンツの同期再生を行うことも可能である。例えば、制御部１８０は、指示受付部１７０によりコンテンツの同期再生指示が受け付けられた場合、他の出力部で当該コンテンツの再生が行われているか否かを判断し、行われていると判断されたときには、当該他の出力部との同期再生を行う。この構成では、ある再生系統のユーザは、他のユーザが他の再生系統で再生しているコンテンツと同じコンテンツを同期再生したい場合、当該コンテンツの同期再生を再生装置１００に指示し、当該コンテンツを同期再生モードで視聴することができる。例えば、図１７の再生リストでは、コンテンツＣ１１〜Ｃ１５が同期再生可能であり、これらのコンテンツＣ１１〜Ｃ１５についてユーザは意図的に同期再生を行うことができる。制御部１８０は、図１７のような再生リスト上でユーザからの同期再生指示を受け付けても良い。
【０１９７】
例えば、第１再生系統でコンテンツＣ１１の個別再生が行われており、第２再生系統および第３再生系統では再生が行われていない状態において、制御部１８０は、ユーザから第２出力部１４２でのコンテンツＣ１１の同期再生指示を受けると、コンテンツＣ１１を再生中の再生系統で使用されている入力ソース選択部およびデコード処理部を、第２再生系統の入力ソース選択部およびデコード処理部として決定し、第２出力部１４２に対応する第２出力制御部１３２を、第２再生系統の出力制御部として決定し、第２出力部１４２でのコンテンツＣ１１の同期再生を行う。
【０１９８】
本形態によれば、同期再生を行うことで再生可能回数を消費することなく、他の再生系統と同一の制限コンテンツを視聴することができる。
【０１９９】
（ｄ）制御部１８０は、再生権利の失効する処理（または再生権利有無情報が「なし」に更新される処理）の指示を受けた場合に、当該処理が実行されると再生権利が失効することを提示し、ユーザから当該処理の実行の可否を受け付け、ユーザにより実行が許可されたときに、指示された処理を実行しても良い。例えば、制御部１８０は、ユーザから再生停止要求を受けた場合に、図１８に示すような再生権利の失効を確認する確認画面を表示させる。図１８の確認画面は、再生停止を行うと再生権利を失い、再生停止を行わない場合には再生権利を失わない旨を示すとともに、再生停止を行うか否かの選択をユーザから受け付けるように構成されている。そして、制御部１８０は、ユーザにより再生停止を行うことが選択された場合に再生停止を実行し、再生停止を行わないことが選択された場合には再生停止を行わない。
【０２００】
本形態によれば、再生権利の失効する処理の指示をユーザから受けた場合に、指示された処理を実行する前に、当該処理を実行すると再生可能回数が消費されることをユーザに知らせ、処理を実行するか否かをユーザに選択させることができ、ユーザの利便性を高めることができる。
【０２０１】
（ｅ）上記の説明では、再生可否判断部１８１が、再生可能回数に基づく再生の可否判断を行っているが、再生可能回数に基づく再生の可否判断は、再生制御部１８３で行われてもよい。具体的には、再生可否判断部１８１が、再生可能回数によらず、入力ソース選択部やデコード処理部の使用状況に基づいて個別再生および同期再生の可否を判断した後に、再生制御部１８３が、再生可能回数に基づいて再生の可否を判断してもよい。例えば、再生制御部１８３は、再生可否判断部１８１の判断結果に基づいて再生経路決定部１８２によって再生経路が決定した後、制限コンテンツの個別再生の場合、当該コンテンツの再生可能回数が１以上であれば当該個別再生を実行し、再生可能回数が０であれば再生不可をユーザに通知し、制限コンテンツの個別再生以外の再生の場合には、再生可能回数による判断を行わずに、決定された再生経路で再生を実行する。
【０２０２】
以上説明した実施の形態において、制御装置の機能は、電子回路などのハードウェア資源のみにより実現されてもよいし、ハードウェア資源とソフトウェアとの協働により実現されてもよい。ハードウェア資源とソフトウェアとの協働により実現される場合、制御装置の機能は、例えば制御プログラムがコンピュータにより実行されることによって実現される。より具体的には、制御装置の機能は、ＲＯＭ（Ｒｅａｄ  Ｏｎｌｙ  Ｍｅｍｏｒｙ）等の記録媒体に記録された制御プログラムが主記憶装置に読み出されて中央処理装置（ＣＰＵ：Ｃｅｎｔｒａｌ  Ｐｒｏｃｅｓｓｉｎｇ  Ｕｎｉｔ）により実行されることによって実現される。制御プログラムは、光ディスク等のコンピュータ読み取り可能な記録媒体に記録されて提供されてもよいし、インターネット等の通信回線を介して提供されてもよい。
【０２０３】
なお、本発明は、上記実施の形態に限定されるものではなく、本発明の要旨を逸脱しない範囲内において種々の態様で実施することができる。
【符号の説明】
【０２０４】
１１  外部入力デバイス、  １２  光学ドライブ、  １３  メモリデバイス、  １４  ＡＶ携帯デバイス、  １５  ネットワークデバイス、  １００  再生装置、  １０１  入力デバイス選択部、  １１１  第１入力ソース選択部、  １１２  第２入力ソース選択部、  １２１  第１デコード処理部、  １２２  第２デコード処理部、  １３１  第１出力制御部、  １３２  第２出力制御部、  １３３  第３出力制御部、  １４１  第１出力部、  １４２  第２出力部、  １４３  第３出力部、  １５１  第１入力部、  １５２  第２入力部、  １５３  第３入力部、  １６０  制御装置、  １７０  指示受付部、  １８０  制御部、  １８１  再生可否判断部、  １８２  再生経路決定部、  １８３  再生制御部、  １８４  再生回数管理部。
【図１】
0005881854.tif 000002
【図２】
0005881854.tif 000003
【図３】
0005881854.tif 000004
【図４】
0005881854.tif 000005
【図５】
0005881854.tif 000006
【図６】
0005881854.tif 000007
【図７】
0005881854.tif 000008
【図８】
0005881854.tif 000009
【図９】
0005881854.tif 000010
【図１０】
0005881854.tif 000011
【図１１】
0005881854.tif 000012
【図１２】
0005881854.tif 000013
【図１３】
0005881854.tif 000014
【図１４】
0005881854.tif 000015
【図１５】
0005881854.tif 000016
【図１６】
0005881854.tif 000017
【図１７】
0005881854.tif 000018
【図１８】
0005881854.tif 000019